(57)【要約】【課題】  UMIDを高速に、生成させるようにする。【解決手段】  クリップUMID生成部６１ａはクリップMpUmidを生成しクリップUMID生成部６１ａはクリップMpUmidのTimeSnapに１を足してFpUmidを生成しRTM-UMID生成部６１ｂはクリップのMpUmidをBodyUmidにしピクチャUMID生成部６１ｃとオーディオUMID生成部６１ｄはクリップのMaterialTypeを変更し画像データと第１チャンネル音声データのMpUmidとFpUmidを生成しオーディオUMID生成部６１ｄは第１チャンネルの音声データのTimeSnapの先頭バイトに順次２を足して第２乃至第４チャンネルの音声データのMpUmidとFpUmidを生成しプロキシUMID生成部６１ｅはクリップのインスタンス番号先頭バイトを00からFFに変更しプロキシデータのMpUmidとFpUmidを生成する。【選択図】  図２
2005243066.tif 000002
【特許請求の範囲】
【請求項１】
クリップデータのマテリアルパッケージUMIDのマテリアルタイプのコードをピクチャデータのコードに変更することにより前記ピクチャデータのマテリアルパッケージUMIDを生成し、前記クリップデータのファイルパッケージUMIDのマテリアルタイプのコードを前記ピクチャデータのコードに変更することにより前記ピクチャデータのファイルパッケージUMIDを生成するピクチャUMID生成手段と、
前記クリップデータのマテリアルパッケージUMIDのマテリアルタイプのコードをオーディオデータのコードに変更し、さらに、チャンネル毎にタイムスナップを所定数インクリメントしてチャンネル毎の前記オーディオデータのマテリアルパッケージUMIDを生成するオーディオマテリアルパッケージUMID生成手段と、
前記クリップデータのファイルパッケージUMIDのマテリアルタイプのコードを前記オーディオデータのコードに変更して、かつ、前記チャンネル毎に前記タイムスナップを所定数インクリメントするか、または、前記クリップデータのファイルパッケージUMIDのマテリアルタイプのコードを前記オーディオデータのコードに変更して、かつ、インスタンス番号のコードを所定数インクリメントすることにより前記チャンネル毎のオーディオデータのファイルパッケージUMIDを生成するオーディオファイルパッケージUMID生成手段と、
前記クリップデータのマテリアルパッケージUMIDのインスタンス番号のコードをプロキシデータのコードに変更して、前記プロキシデータのマテリアルパッケージUMIDを生成し、前記クリップデータのファイルパッケージUMIDのインスタンス番号のコードをプロキシデータを示すコードに変更するか、または、所定数インクリメントすることにより前記プロキシデータのファイルパッケージUMIDを生成するプロキシUMID生成手段と
を備えることを特徴とする情報処理装置。
【請求項２】
前記オーディオマテリアルパッケージUMID生成手段は、前記クリップデータのマテリアルパッケージUMIDのマテリアルタイプのコードをオーディオデータのコードに変更し、さらに、チャンネル毎にタイムスナップを２だけインクリメントしてチャンネル毎の前記オーディオデータのマテリアルパッケージUMIDを生成し、前記オーディオファイルパッケージUMID生成手段は、前記クリップデータのファイルパッケージUMIDのマテリアルタイプのコードを前記オーディオデータのコードに変更して、かつ、前記チャンネル毎に前記タイムスナップを２だけインクリメントするか、または、前記クリップデータのファイルパッケージUMIDのマテリアルタイプのコードを前記オーディオデータのコードに変更して、かつ、インスタンス番号のコードを１だけインクリメントすることにより前記チャンネル毎のオーディオデータのファイルパッケージUMIDを生成する
ことを特徴とする請求項１に記載の情報処理装置。
【請求項３】
前記プロキシUMID生成手段は、前記クリップデータのマテリアルパッケージUMIDのインスタンス番号のコードをプロキシデータのコードに変更して、前記プロキシデータのマテリアルパッケージUMIDを生成し、前記クリップデータのファイルパッケージUMIDのインスタンス番号のコードをプロキシデータを示すコードに変更するか、または、１だけインクリメントすることにより前記プロキシデータのファイルパッケージUMIDを生成する
ことを特徴とする請求項１に記載の情報処理装置。
【請求項４】
クリップデータのマテリアルパッケージUMIDのマテリアルタイプのコードをピクチャデータのコードに変更することにより前記ピクチャデータのマテリアルパッケージUMIDを生成し、前記クリップデータのファイルパッケージUMIDのマテリアルタイプのコードを前記ピクチャデータのコードに変更することにより前記ピクチャデータのファイルパッケージUMIDを生成するピクチャUMID生成ステップと、
前記クリップデータのマテリアルパッケージUMIDのマテリアルタイプのコードをオーディオデータのコードに変更し、さらに、チャンネル毎にタイムスナップを所定数インクリメントしてチャンネル毎の前記オーディオデータのマテリアルパッケージUMIDを生成するオーディオマテリアルパッケージUMID生成ステップと、
前記クリップデータのファイルパッケージUMIDのマテリアルタイプのコードを前記オーディオデータのコードに変更して、かつ、前記チャンネル毎に前記タイムスナップを所定数インクリメントするか、または、前記クリップデータのファイルパッケージUMIDのマテリアルタイプのコードを前記オーディオデータのコードに変更して、かつ、インスタンス番号のコードを所定数インクリメントすることにより前記チャンネル毎のオーディオデータのファイルパッケージUMIDを生成するオーディオファイルパッケージUMID生成ステップと、
前記クリップデータのマテリアルパッケージUMIDのインスタンス番号のコードをプロキシデータのコードに変更して、前記プロキシデータのマテリアルパッケージUMIDを生成し、前記クリップデータのファイルパッケージUMIDのインスタンス番号のコードをプロキシデータを示すコードに変更するか、または、所定数インクリメントすることにより前記プロキシデータのファイルパッケージUMIDを生成するプロキシUMID生成ステップと
を含むことを特徴とする情報処理方法。
【請求項５】
クリップデータのマテリアルパッケージUMIDのマテリアルタイプのコードのピクチャデータのコードへの変更による前記ピクチャデータのマテリアルパッケージUMIDの生成を制御し、前記クリップデータのファイルパッケージUMIDのマテリアルタイプのコードの前記ピクチャデータのコードへの変更による前記ピクチャデータのファイルパッケージUMIDの生成を制御するピクチャUMID生成制御ステップと、
前記クリップデータのマテリアルパッケージUMIDのマテリアルタイプのコードをオーディオデータのコードに変更し、さらに、チャンネル毎にタイムスナップを所定数インクリメントすることによるチャンネル毎の前記オーディオデータのマテリアルパッケージUMIDの生成を制御するオーディオマテリアルパッケージUMID生成制御ステップと、
前記クリップデータのファイルパッケージUMIDのマテリアルタイプのコードを前記オーディオデータのコードに変更し、かつ、前記チャンネル毎に前記タイムスナップの所定数インクリメントするか、または、前記クリップデータのファイルパッケージUMIDのマテリアルタイプのコードを前記オーディオデータのコードに変更して、かつ、インスタンス番号のコードの所定数インクリメントすることによる前記チャンネル毎のオーディオデータのファイルパッケージUMIDの生成を制御するオーディオファイルパッケージUMID生成制御ステップと、
前記クリップデータのマテリアルパッケージUMIDのインスタンス番号のコードをプロキシデータのコードに変更して、前記プロキシデータのマテリアルパッケージUMIDの生成を制御し、前記クリップデータのファイルパッケージUMIDのインスタンス番号のコードのプロキシデータを示すコードに変更するか、または、所定数インクリメントすることによる前記プロキシデータのファイルパッケージUMIDの生成を制御するプロキシUMID生成制御ステップと
を含むことを特徴とするコンピュータが読み取り可能なプログラムが記録されている記録媒体。
【請求項６】
クリップデータのマテリアルパッケージUMIDのマテリアルタイプのコードのピクチャデータのコードへの変更による前記ピクチャデータのマテリアルパッケージUMIDの生成を制御し、前記クリップデータのファイルパッケージUMIDのマテリアルタイプのコードの前記ピクチャデータのコードへの変更による前記ピクチャデータのファイルパッケージUMIDの生成を制御するピクチャUMID生成制御ステップと、
前記クリップデータのマテリアルパッケージUMIDのマテリアルタイプのコードをオーディオデータのコードに変更し、さらに、チャンネル毎にタイムスナップを所定数インクリメントすることによるチャンネル毎の前記オーディオデータのマテリアルパッケージUMIDの生成を制御するオーディオマテリアルパッケージUMID生成制御ステップと、
前記クリップデータのファイルパッケージUMIDのマテリアルタイプのコードを前記オーディオデータのコードに変更し、かつ、前記チャンネル毎に前記タイムスナップの所定数インクリメントするか、または、前記クリップデータのファイルパッケージUMIDのマテリアルタイプのコードを前記オーディオデータのコードに変更して、かつ、インスタンス番号のコードの所定数インクリメントすることによる前記チャンネル毎のオーディオデータのファイルパッケージUMIDの生成を制御するオーディオファイルパッケージUMID生成制御ステップと、
前記クリップデータのマテリアルパッケージUMIDのインスタンス番号のコードをプロキシデータのコードに変更して、前記プロキシデータのマテリアルパッケージUMIDの生成を制御し、前記クリップデータのファイルパッケージUMIDのインスタンス番号のコードのプロキシデータを示すコードに変更するか、または、所定数インクリメントすることによる前記プロキシデータのファイルパッケージUMIDの生成を制御するプロキシUMID生成制御ステップと
をコンピュータに実行させることを特徴とするプログラム。
【発明の詳細な説明】
【技術分野】
【０００１】
本発明は、情報処理装置および方法、記録媒体、並びにプログラムに関し、特に、UMIDを高速に生成できるようにすると共に、UMIDを管理することができない他の情報処理装置により編集された素材であっても、UMIDを用いて管理できるようにした情報処理装置および方法、記録媒体、並びにプログラムに関する。
【背景技術】
【０００２】
従来、報道番組などの制作現場においては、取材結果となる多数のAV（Audio Visual）データの中から所望とする部分を抽出した後、さらに、これらを繋ぎ合わせるといった作業により番組を制作していた。
【０００３】
しかしながら、膨大な量のAVデータから、取材状況を思い出して、所望とする部分を抽出するのは困難な作業であり、結局、AVデータを１つ１つ再生して、これを見ながら確認するといった作業を繰り返し、所望とする部分を見つけ出しては、抽出していくといった手間のかかる作業をしなければならなかった。
【０００４】
そこで、このような番組制作の手間を解消させるために、例えば、取材に用いた撮像装置や編集装置など全ての機器に対応する共通のディスク状の記録媒体に、取材時の情報を記録するようにして、AVデータと取材時の状況を管理しやすくするものが提案されている（例えば、特許文献１参照）。
【特許文献１】特開平１１−０８８８２１号公報
【発明の開示】
【発明が解決しようとする課題】
【０００５】
しかしながら、上述の手法においては、例えば、第１のスタッフがAVデータを編集し、第２のスタッフがAVデータに関する情報（例えば、メタデータ）など制作するといったように、複数の人数で同時に編集処理を行うことが困難であり、短時間で作成しなければならない報道番組などでは、作業を効率よく進めることが困難であった。
【０００６】
このような問題に対して、各々のAVデータの素材を複数の人数で同時に編集した場合、個別に生成される素材に対して、それらを識別するための固有のIDとしてUMID（Unique Material Identifier）を付してAVデータを管理する方法が提案されている。
【０００７】
UMIDは、素材となるAVデータの画像データや、音声データといった個々の要素にまで付されるIDであり、このUMIDを使用することで、撮影から編集まで、膨大な量のAVデータを管理することができ、例えば、複数のスタッフによる同時編集なども可能なものとしている。
【０００８】
しかしながら、このように編集結果となる素材に対して個々にUMIDを付す処理では、AVデータの画像データや音声データなどの個々の素材に対して、１つ１つUMIDを個別に発生させる必要があるにもかかわらず、近年AVデータにより扱う素材のデータ量は、例えば、音声データのチャンネル数の増大などに伴って増えつつあり、より多くのUMIDを高速に発生させる要求が高まっている。ところが、UMIDを発生させる速度には限界があり、これを超える速度で素材が生成されると、個々の素材に対してUMIDを付すことができないという事体が発生し、UMIDによる素材の管理そのものを破綻させてしまう恐れがあった。
【０００９】
また、このように編集結果となる素材に対して個々にUMIDが付されていても、機器によっては、UMIDを認識できないこともあり、そのような場合、この素材を識別するUMIDを有効に編集に利用することができないという課題があった。
【００１０】
本発明はこのような状況に鑑みてなされたものであり、特に、UMIDを高速で、大量に生成できるようにすると共に、UMIDを管理することができない情報処理装置により編集された素材であっても、UMIDを用いた管理を実現できるようにするものである。
【課題を解決するための手段】
【００１１】
本発明の情報処理装置は、クリップデータのマテリアルパッケージUMIDのマテリアルタイプのコードをピクチャデータのコードに変更することによりピクチャデータのマテリアルパッケージUMIDを生成し、クリップデータのファイルパッケージUMIDのマテリアルタイプのコードをピクチャデータのコードに変更することによりピクチャデータのファイルパッケージUMIDを生成するピクチャUMID生成手段と、クリップデータのマテリアルパッケージUMIDのマテリアルタイプのコードをオーディオデータのコードに変更し、さらに、チャンネル毎にタイムスナップを所定数インクリメントしてチャンネル毎のオーディオデータのマテリアルパッケージUMIDを生成するオーディオマテリアルパッケージUMID生成手段と、クリップデータのファイルパッケージUMIDのマテリアルタイプのコードをオーディオデータのコードに変更して、かつ、チャンネル毎にタイムスナップを所定数インクリメントするか、または、クリップデータのファイルパッケージUMIDのマテリアルタイプのコードをオーディオデータのコードに変更して、かつ、インスタンス番号のコードを所定数インクリメントすることによりチャンネル毎のオーディオデータのファイルパッケージUMIDを生成するオーディオファイルパッケージUMID生成手段と、クリップデータのマテリアルパッケージUMIDのインスタンス番号のコードをプロキシデータのコードに変更して、プロキシデータのマテリアルパッケージUMIDを生成し、クリップデータのファイルパッケージUMIDのインスタンス番号のコードをプロキシデータを示すコードに変更するか、または、所定数インクリメントすることによりプロキシデータのファイルパッケージUMIDを生成するプロキシUMID生成手段とを備えることを特徴とする。
【００１２】
前記オーディオマテリアルパッケージUMID生成手段には、クリップデータのマテリアルパッケージUMIDのマテリアルタイプのコードをオーディオデータのコードに変更し、さらに、チャンネル毎にタイムスナップを２だけインクリメントしてチャンネル毎のオーディオデータのマテリアルパッケージUMIDを生成し、オーディオファイルパッケージUMID生成手段は、クリップデータのファイルパッケージUMIDのマテリアルタイプのコードをオーディオデータのコードに変更して、かつ、チャンネル毎にタイムスナップを２だけインクリメントするか、または、クリップデータのファイルパッケージUMIDのマテリアルタイプのコードをオーディオデータのコードに変更して、かつ、インスタンス番号のコードを１だけインクリメントすることによりチャンネル毎のオーディオデータのファイルパッケージUMIDを生成させるようにすることができる。
【００１３】
前記プロキシUMID生成手段には、クリップデータのマテリアルパッケージUMIDのインスタンス番号のコードをプロキシデータのコードに変更して、プロキシデータのマテリアルパッケージUMIDを生成し、クリップデータのファイルパッケージUMIDのインスタンス番号のコードをプロキシデータを示すコードに変更するか、または、１だけインクリメントすることによりプロキシデータのファイルパッケージUMIDを生成させるようにすることができる。
【００１４】
本発明の情報処理方法は、クリップデータのマテリアルパッケージUMIDのマテリアルタイプのコードをピクチャデータのコードに変更することによりピクチャデータのマテリアルパッケージUMIDを生成し、クリップデータのファイルパッケージUMIDのマテリアルタイプのコードをピクチャデータのコードに変更することによりピクチャデータのファイルパッケージUMIDを生成するピクチャUMID生成ステップと、クリップデータのマテリアルパッケージUMIDのマテリアルタイプのコードをオーディオデータのコードに変更し、さらに、チャンネル毎にタイムスナップを所定数インクリメントしてチャンネル毎のオーディオデータのマテリアルパッケージUMIDを生成するオーディオマテリアルパッケージUMID生成ステップと、クリップデータのファイルパッケージUMIDのマテリアルタイプのコードをオーディオデータのコードに変更して、かつ、チャンネル毎にタイムスナップを所定数インクリメントするか、または、クリップデータのファイルパッケージUMIDのマテリアルタイプのコードをオーディオデータのコードに変更して、かつ、インスタンス番号のコードを所定数インクリメントすることによりチャンネル毎のオーディオデータのファイルパッケージUMIDを生成するオーディオファイルパッケージUMID生成ステップと、クリップデータのマテリアルパッケージUMIDのインスタンス番号のコードをプロキシデータのコードに変更して、プロキシデータのマテリアルパッケージUMIDを生成し、クリップデータのファイルパッケージUMIDのインスタンス番号のコードをプロキシデータを示すコードに変更するか、または、所定数インクリメントすることによりプロキシデータのファイルパッケージUMIDを生成するプロキシUMID生成ステップとを含むことを特徴とする。
【００１５】
本発明の記録媒体のプログラムは、クリップデータのマテリアルパッケージUMIDのマテリアルタイプのコードのピクチャデータのコードへの変更によるピクチャデータのマテリアルパッケージUMIDの生成を制御し、クリップデータのファイルパッケージUMIDのマテリアルタイプのコードのピクチャデータのコードへの変更によるピクチャデータのファイルパッケージUMIDの生成を制御するピクチャUMID生成制御ステップと、クリップデータのマテリアルパッケージUMIDのマテリアルタイプのコードをオーディオデータのコードに変更し、さらに、チャンネル毎にタイムスナップを所定数インクリメントすることによるチャンネル毎のオーディオデータのマテリアルパッケージUMIDの生成を制御するオーディオマテリアルパッケージUMID生成制御ステップと、クリップデータのファイルパッケージUMIDのマテリアルタイプのコードをオーディオデータのコードに変更し、かつ、チャンネル毎にタイムスナップの所定数インクリメントするか、または、クリップデータのファイルパッケージUMIDのマテリアルタイプのコードをオーディオデータのコードに変更して、かつ、インスタンス番号のコードの所定数インクリメントすることによるチャンネル毎のオーディオデータのファイルパッケージUMIDの生成を制御するオーディオファイルパッケージUMID生成制御ステップと、クリップデータのマテリアルパッケージUMIDのインスタンス番号のコードをプロキシデータのコードに変更することによる、プロキシデータのマテリアルパッケージUMIDの生成を制御し、クリップデータのファイルパッケージUMIDのインスタンス番号のコードのプロキシデータを示すコードに変更するか、または、所定数インクリメントすることによるプロキシデータのファイルパッケージUMIDの生成を制御するプロキシUMID生成制御ステップとを含むことを特徴とする。
【００１６】
本発明のプログラムは、クリップデータのマテリアルパッケージUMIDのマテリアルタイプのコードのピクチャデータのコードへの変更によるピクチャデータのマテリアルパッケージUMIDの生成を制御し、クリップデータのファイルパッケージUMIDのマテリアルタイプのコードのピクチャデータのコードへの変更によるピクチャデータのファイルパッケージUMIDの生成を制御するピクチャUMID生成制御ステップと、クリップデータのマテリアルパッケージUMIDのマテリアルタイプのコードをオーディオデータのコードに変更し、さらに、チャンネル毎にタイムスナップを所定数インクリメントすることによるチャンネル毎のオーディオデータのマテリアルパッケージUMIDの生成を制御するオーディオマテリアルパッケージUMID生成制御ステップと、クリップデータのファイルパッケージUMIDのマテリアルタイプのコードをオーディオデータのコードに変更し、かつ、チャンネル毎にタイムスナップの所定数インクリメントするか、または、クリップデータのファイルパッケージUMIDのマテリアルタイプのコードをオーディオデータのコードに変更して、かつ、インスタンス番号のコードの所定数インクリメントすることによるチャンネル毎のオーディオデータのファイルパッケージUMIDの生成を制御するオーディオファイルパッケージUMID生成制御ステップと、クリップデータのマテリアルパッケージUMIDのインスタンス番号のコードをプロキシデータのコードに変更することによる、プロキシデータのマテリアルパッケージUMIDの生成を制御し、クリップデータのファイルパッケージUMIDのインスタンス番号のコードのプロキシデータを示すコードに変更するか、または、所定数インクリメントすることによるプロキシデータのファイルパッケージUMIDの生成を制御するプロキシUMID生成制御ステップとを含む処理をコンピュータに実行させることを特徴とする。
【００１７】
本発明の情報処理装置および方法、並びにプログラムにおいては、クリップデータのマテリアルパッケージUMIDのマテリアルタイプのコードがピクチャデータのコードに変更されることによりピクチャデータのマテリアルパッケージUMIDが生成され、クリップデータのファイルパッケージUMIDのマテリアルタイプのコードがピクチャデータのコードに変更されることによりピクチャデータのファイルパッケージUMIDが生成され、クリップデータのマテリアルパッケージUMIDのマテリアルタイプのコードがオーディオデータのコードに変更され、さらに、チャンネル毎にタイムスナップが所定数インクリメントされてチャンネル毎のオーディオデータのマテリアルパッケージUMIDが生成され、クリップデータのファイルパッケージUMIDのマテリアルタイプのコードがオーディオデータのコードに変更されて、かつ、チャンネル毎にタイムスナップが所定数インクリメントされるか、または、クリップデータのファイルパッケージUMIDのマテリアルタイプのコードがオーディオデータのコードに変更されて、かつ、インスタンス番号のコードが所定数インクリメントされることによりチャンネル毎のオーディオデータのファイルパッケージUMIDが生成され、クリップデータのマテリアルパッケージUMIDのインスタンス番号のコードがプロキシデータのコードに変更されて、プロキシデータのマテリアルパッケージUMIDが生成され、クリップデータのファイルパッケージUMIDのインスタンス番号のコードがプロキシデータを示すコードに変更されるか、または、所定数インクリメントされることによりプロキシデータのファイルパッケージUMIDが生成される。
【００１８】
本発明の情報処理装置は、独立した装置であっても良いし、情報処理を行うブロックであっても良い。
【発明の効果】
【００１９】
本発明によれば、UMIDを高速で大量に生成させるようにすることが可能となると共に、UMIDを管理することができない情報処理装置により編集された素材であっても、UMIDを用いて管理することが可能となる。
【発明を実施するための最良の形態】
【００２０】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２１】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００２２】
即ち、本発明の情報処理装置は、クリップデータのマテリアルパッケージUMIDのマテリアルタイプのコードをピクチャデータのコードに変更することによりピクチャデータのマテリアルパッケージUMIDを生成し、クリップデータのファイルパッケージUMIDのマテリアルタイプのコードをピクチャデータのコードに変更することによりピクチャデータのファイルパッケージUMIDを生成するピクチャUMID生成手段（例えば、図２のピクチャUMID生成部３１ａ）と、クリップデータのマテリアルパッケージUMIDのマテリアルタイプのコードをオーディオデータのコードに変更し、さらに、チャンネル毎にタイムスナップを所定数インクリメントしてチャンネル毎のオーディオデータのマテリアルパッケージUMIDを生成するオーディオマテリアルパッケージUMID生成手段と（例えば、図２のオーディオUMID生成部３１ｄ）、クリップデータのファイルパッケージUMIDのマテリアルタイプのコードをオーディオデータのコードに変更して、かつ、チャンネル毎にタイムスナップを所定数インクリメントするか、または、クリップデータのファイルパッケージUMIDのマテリアルタイプのコードをオーディオデータのコードに変更して、かつ、インスタンス番号のコードを所定数インクリメントすることによりチャンネル毎のオーディオデータのファイルパッケージUMIDを生成するオーディオファイルパッケージUMID生成手段（例えば、図２のオーディオUMID生成部３１ｄ）と、クリップデータのマテリアルパッケージUMIDのインスタンス番号のコードをプロキシデータのコードに変更して、プロキシデータのマテリアルパッケージUMIDを生成し、クリップデータのファイルパッケージUMIDのインスタンス番号のコードをプロキシデータを示すコードに変更するか、または、所定数インクリメントすることによりプロキシデータのファイルパッケージUMIDを生成するプロキシUMID生成手段と（例えば、図２のプロキシUMID生成部３１ｅ）を備えることを特徴とする。
【００２３】
本発明の情報処理方法は、クリップデータのマテリアルパッケージUMIDのマテリアルタイプのコードをピクチャデータのコードに変更することによりピクチャデータのマテリアルパッケージUMIDを生成し、クリップデータのファイルパッケージUMIDのマテリアルタイプのコードをピクチャデータのコードに変更することによりピクチャデータのファイルパッケージUMIDを生成するピクチャUMID生成ステップ（例えば、図１４のフローチャートのステップＳ５４）と、クリップデータのマテリアルパッケージUMIDのマテリアルタイプのコードをオーディオデータのコードに変更し、さらに、チャンネル毎にタイムスナップを所定数インクリメントしてチャンネル毎のオーディオデータのマテリアルパッケージUMIDを生成するオーディオマテリアルパッケージUMID生成ステップ（例えば、図１４のフローチャートのステップＳ５５）と、クリップデータのファイルパッケージUMIDのマテリアルタイプのコードをオーディオデータのコードに変更して、かつ、チャンネル毎にタイムスナップを所定数インクリメントするか、または、クリップデータのファイルパッケージUMIDのマテリアルタイプのコードをオーディオデータのコードに変更して、かつ、インスタンス番号のコードを所定数インクリメントすることによりチャンネル毎のオーディオデータのファイルパッケージUMIDを生成するオーディオファイルパッケージUMID生成ステップ（例えば、図１４のフローチャートのステップＳ５５）と、クリップデータのマテリアルパッケージUMIDのインスタンス番号のコードをプロキシデータのコードに変更して、プロキシデータのマテリアルパッケージUMIDを生成し、クリップデータのファイルパッケージUMIDのインスタンス番号のコードをプロキシデータを示すコードに変更するか、または、所定数インクリメントすることによりプロキシデータのファイルパッケージUMIDを生成するプロキシUMID生成ステップ（例えば、図１４のフローチャートのステップＳ５６）とを含むことを特徴とする。
【００２４】
尚、記録媒体、および、プログラムについての対応関係については、情報処理方法と同様であるので、その説明は省略する。
【００２５】
図１は、本発明を適用した映像プログラム制作支援システムの構成例を示す図である。
【００２６】
図１において、映像プログラム制作支援システムは、例えば、テレビジョン信号を放送するテレビジョン放送局や、ビデオや映画等の映像コンテンツの制作会社等において設けられるシステムであり、テレビジョン番組や映画等の映像作品である映像プログラムを制作するためのシステムである。この映像プログラム制作支援システムは、映像プログラムの制作を分担する複数の部署間で、電子ファイル形式で構成される、映像プログラムに付加されたメタデータ等を一貫して利用できるようにし、映像プログラムを効率よく作成するためのシステムである。
【００２７】
映像プログラム制作支援システムは、図１に示されるように、ディスク装置１、撮像装置２，３、および、編集装置４，５から構成されており、相互にネットワーク６を介して接続されている。
【００２８】
ディスク装置１は、撮像装置２または３により撮像された、または、編集装置５または６により編集されたクリップ、画像データ、音声データ、メタデータ（RTM（Real Time Methedata）を含む）、および、プロキシデータなどに個別にUMIDを付することにより対応付けて記録すると共に、NRT（Non-Real Time Methadata）を記録し、さらに、記録された情報を必要に応じて読み出して編集装置５または６に供給する。
【００２９】
撮像装置２は、例えば、カムコーダ（登録商標）等のビデオカメラであり、放送用のニュース番組の取材や、スポーツ等の試合の模様、映画などの映像コンテンツの撮影に使用される装置である。撮像装置２は、撮影スタッフに操作され、映像プログラムを構成する各場面の撮影を行い、撮影により得られたクリップをディスク装置１、または、編集装置４，５に送信する。
【００３０】
また、撮像装置２は、例えば、撮像により得られたクリップのうちオリジナルの画像データだけでなく、プロキシデータ（ローレゾリューション（low resolution：低解像度）画像データからなるデータ）を記録することができる。クリップに含まれるオリジナルの画像データは、データ量が大きいが、高画質な画像データであるので、映像プログラムの完成品に用いられる。一方、プロキシデータは、オリジナルの画像データから各フレームの画素数が間引かれること等によって生成された、画素数の少ないフレームの画像に対応する画像データである。また、プロキシデータは、さらに、例えば、MPEG（Moving Picture Experts Group）4方式等でエンコードされているようにしてもよい。このプロキシデータは、オリジナルの画像データと比較して低画質であるが、データ量が小さいので、送信や再生など処理の負荷が軽く、主に粗編集処理等に利用される。
【００３１】
撮像装置２は、撮像により得られた画像データ、音声データ、メタデータ、および、プロキシデータなどの各素材に対してUMIDを付した状態でクリップを管理する。
【００３２】
撮像装置３は、基本的に撮像装置２と同様のものであるが、UMIDを生成することができず、さらに、UMIDが付されたデータのUMIDを認識することができない構成となっている。従って、撮像装置３が生成するクリップには、新たにUMIDが付されていない状態となる。ただし、撮像装置２により生成されたクリップに含まれている画像データ、音声データ、メタデータ、および、プロキシデータは、個々に認識することができ、それらの内容を編集することは可能である。
【００３３】
尚、以降においては、図中において、撮像装置２には（UMID対応）と付すると共に、撮像装置３には（UMID非対応）と付して表示するものとする。
【００３４】
編集装置４は、例えば、パーソナルコンピュータ等の情報処理装置および周辺装置により構成され、映像コンテンツの編集処理を行う、いわゆる編集部署などに設けられる。編集装置４は、撮像装置２より送信されてくるクリップを取得する。
【００３５】
編集装置４は、ユーザに操作され、ネットワーク６を介して取得したプロキシデータや、オリジナルのクリップを、シナリオに従った順序で連続的に表示したり、所望のクリップの画像データのみを表示したりする。
【００３６】
また、編集装置４は、例えば、必要な画像データ等を好適な順序で再生し、表示するだけでなく、取材により得られたクリップの編集処理を行う。
【００３７】
この編集処理としては、粗編集処理と本編集処理がある。
【００３８】
粗編集処理は、クリップに含まれる画像データや音声データに対する簡易的な編集処理である。例えば、編集装置４は、粗編集処理において、例えば、１回の撮像処理を示す単位であるクリップに対応する、画像データや音声データ等を含む映像コンテンツに関するデータ（以下、クリップデータと称する）を複数取得した場合、それらのクリップデータの中から、本編集で使用すべきクリップデータを選択し、選択されたクリップデータの中から、さらに必要な映像部分を選択（Logging）し、その選択された映像部分に対応する編集開始位置（In点）および編集終了位置（Out点）を例えば、タイムコード等を利用して設定し、上述したクリップデータの中から、対応する部分を抽出（Ingesting）する。
【００３９】
なお、クリップは、1回の撮像処理だけでなく、その撮像処理の撮像開始から撮像終了までの時間を示す単位でもあり、その撮像処理により得られた各種のデータの長さを示す単位でもあり、その撮像処理により得られた各種のデータのデータ量を示す単位でもある。さらに、クリップは、その各種のデータの集合体そのものも示す場合もある。
【００４０】
本編集処理は、粗編集処理が施された各クリップデータを繋ぎ合わせ、その画像データに対して、最終的な画質調整等を行い、番組などで放送するためのデータである完全パッケージデータを作成する処理である。
【００４１】
編集装置５は、基本的には、編集装置４と同様の機能を有するものであるが、UMIDを生成することができず、さらに、クリップに付されたUMIDを認識することができない構成となっている。従って、編集装置５により編集されるクリップは、新たにUMIDが付されていない状態となる。ただし、編集装置５により編集されたクリップの画像データ、音声データ、メタデータ、および、プロキシデータは、個々に認識することができ、それらの内容を編集することは可能である。
【００４２】
尚、以降においては、図中において、編集装置４には（UMID対応）と付すると共に、編集装置５には（UMID非対応）と付して表示するものとする。また、上述したディスク装置１、撮像装置２，３、および、編集装置４，５等の各装置は、それぞれ、複数台により構成されるようにしてもよい。例えば、複数台の撮像装置２，３において得られたクリップ等を、所定の１台の編集装置４または５が取得し、そのクリップに対して編集処理を行うようにしてもよいし、所定の１台の撮像装置２または３より供給されたクリップが、複数台の編集装置４または５により編集されるようにしてもよい。
【００４３】
逆に、上述したディスク装置１、撮像装置２，３、編集装置４，５等の各装置は、それぞれ、別体として構成されるように説明したが、これに限らず、各装置の機能の一部または全部が互いに一体化して構成されるようにしてもよい。
【００４４】
また、映像プログラム制作支援システムは、例えば、上述したディスク装置１、撮像装置２，３、および、編集装置４，５とは別に、ネットワーク６に接続されたセンタサーバ（図示せず）を設け、ディスク装置１、撮像装置２，３、および、編集装置４，５等をクライアントとした、クライアント/サーバ（Client/Server）システムとして構成するようにしてもよい。
【００４５】
図２は、図１のディスク装置１の詳細な構成例を示している。
【００４６】
図２において、CPU１１、ROM１２、RAM１３、およびエディットリスト編集部１４は、バス１５を介して相互に接続されている。このバス１５にはまた、入出力インタフェース１６も接続されている。また、ディスク装置１のCPU（Central Processing Unit）１１は、ROM（Read Only Memory）１２に記憶されているプログラムに従って各種の処理を実行する。RAM（Random Access Memory）１３には、CPU１１が各種の処理を実行する上において必要なデータやプログラムなどが適宜記憶される。
【００４７】
エディットリスト編集部１４は、撮像装置２，３、または、編集装置４，５とのクリップの授受に伴って生成される各種の情報に基づいて、編集結果に関する情報であるエディットリストを生成し、記憶部１９に記憶させる。
【００４８】
エディットリスト編集部１４のUMID生成部３１は、映像コンテンツからなるAVデータに含まれる、クリップ、RTM（Real Time Methadata：例えば、そのフレームに対応する画像信号を日時（年、月、日、時、分、秒）等の所定の時間情報により特徴付けるタイムコードであるLTC（Linear Time Code）など）、画像データ、音声データ、および、プロキシデータのそれぞれに対してUMIDを生成し、ディスク２４に対して記録させる際、これらを付して記録させる。より詳細には、クリップUMID生成部３１ａ、RTM-UMID生成部３１ｂ、ピクチャUMID生成部３１ｃ、オーディオUMID生成部３１ｄ、および、プロキシUMID生成部３１ｅが、それぞれクリップ、RTM（Real Time Methadata）、画像データ、音声データ、および、プロキシデータについてそれぞれUMIDを生成し、これを各データに対して付加する。
【００４９】
UMID生成部３１は、ディスク装置１に供給されるデータの通信方式や、ユーザにより設定可能な動作モードによりその生成方法が変化する。FTP（File Transfer Protocol）により、例えば、MXF（Material Exchange Format）のデータが送信されてくるような場合、更新モード、および、保存モードの２つの動作モードがある。更新モードは、ディスク装置１に供給された全てのデータに対して新たなUMIDを生成して付するモードである。また、保存モードは、データを送信してきた相手が、UMIDを生成することができるような場合、その相手となる装置により付されたUMIDをそのまま利用するモードである。また、SDI（Serial Digital Interface）によるクリップの通信の場合、単一クリップのとき、送信されてきたクリップのUMIDがそのまま使用される動作モードと、複数のクリップであるとき、新たにUMIDが生成されて付される動作モードがある。尚、UMIDの生成方法については、詳細を後述する。
【００５０】
また、UMID生成部３１は、UMIDが付されていないクリップ、すなわち、UMIDを生成する機能を備えていない、例えば、図１の撮像装置３や編集装置５により生成されたクリップにUMIDを生成して付する。
【００５１】
エディットリスト編集部１４のNRT（Non Real Time Methadata）編集部３２は、撮像装置２，３、または、編集装置４，５とのクリップの授受に伴って生成される各種の情報に基づいて、編集結果に関する情報のうち、NRTを編集する。より具体的には、NRT編集部１４は、クリップの編集に伴って、lastUpdate（NRTの生成または更新の日時の情報）、umidRef（リンク時に参照する参照UMIDの情報）、CreationDate（対象クリップ、または、エディットリストの生成日時の情報）、LastUpdate（対象クリップ、または、エディットリストの更新日時の情報）、Format（機器で生成される情報のフォーマット形式）、および、Title（生成されたNRTのタイトル）を編集する。
【００５２】
また、NRT編集部３２は、UMIDが付されていないクリップ、すなわち、UMIDを生成する機能を備えていない、例えば、図１の撮像装置３や編集装置５により生成されたクリップにNRTを生成する。
【００５３】
入出力インタフェース１６は、キーボードやマウスから構成される入力部１７が接続され、入力部１７に入力された信号をCPU１１に出力する。また、入出力インタフェース１６には、ディスプレイやスピーカなどから構成される出力部１９も接続されている。
【００５４】
さらに、入出力インタフェース１６には、ハードディスクやEEPROM（Electronically Erasable and Programmable Read Only Memory）などから構成される記憶部１９、および、ネットワーク６などを介して他の装置とデータの通信を行う通信部２０も接続されている。ドライブ２１は、磁気ディスク、光ディスク、光磁気ディスク、または半導体メモリなどの記録媒体からなるリムーバブルメディア２３よりデータを読み出したり、データを書き込んだりするときに用いられる。
【００５５】
ディスク駆動部２２は、撮像装置２，３、または、編集装置４，５により生成されたくリップを、エディットリスト１４により生成されたUMIDとNRTと共に対応付けてディスク記録媒体２４に記録させる。
【００５６】
ディスク記録媒体２４は、例えば、光ディスクであってもよく、DVD-RAM（Digital Versatile Disc-Random Access Memory），DVD-R（DVD-Recordable），DVD-RW（DVD-ReWritable），DVD+R（DVD+Recordable），DVD＋RW（DVD+ReWritable），CD-R（Compact Disc-Recordable），またはCD-RW（CD-ReWritable）等が適用できる。また、ディスク記録媒体２４には、HDD（Hard Disc Drive）を適用させるようにすることもできる。
【００５７】
また、ディスク記録媒体２４に記録されたデータを管理するファイルシステムとしては、どのようなファイルシステムを用いてもよく、例えば、UDF（Universal Disk Format）やISO9660（International Organization for Standardization 9660）等を用いてもよい。また、ディスク記録媒体２４としてハードディスク等の磁気ディスクを用いた場合、ファイルシステムとして、FAT（File Allocation Tables）、NTFS（New Technology File System）、HFS（Hierarchical File System）、またはUFS（Unix（登録商標） File System）等を用いてもよい。また、専用のファイルシステムを用いるようにしてもよい。
【００５８】
次に、図３を参照して、撮像装置２の構成について説明する。
【００５９】
撮像装置２のCPU４１、ROM４２、RAM４３、バス４６、入出力インタフェース４７、入力部５０、出力部５１、記憶部５２、通信部５３、ドライブ５４、および、リムーバルメディア５５の構成は、図２のディスク装置１のCPU１１、ROM１２、RAM１３、バス１５、入出力インタフェース１６、入力部１７、出力部１８、記憶部１９、通信部２０、ドライブ２１、および、リムーバルメディア２３と同様であるので、その説明は、省略する。
【００６０】
クリップデータ編集部４４は、CCD（Charge Coupled Devoce）イメージセンサやCMOS（Complementary Metal-Oxide Semiconductor）イメージセンサなどから構成される撮像部４８により撮像された画像データ、および、マイクロフォンなどから構成される音声入力部４９より供給される音声データに基づいて、クリップを構成する画像データ、音声データ、メタデータ、および、プロキシデータを生成し、エディットリスト編集部４５に供給する。
【００６１】
エディットリスト編集部４５は、基本的に、図２のディスク装置１のエディットリスト編集部１４と同様のものであり、従って、UMID生成部６１、クリップUMID生成部６１ａ、RTM-UMID生成部６１ｂ、ピクチャUMID生成部６１ｃ、オーディオUMID生成部６１ｄ、および、プロキシUMID生成部６１ｅについても、UMID生成部３１、クリップUMID生成部３１ａ、RTM-UMID生成部３１ｂ、ピクチャUMID生成部３１ｃ、オーディオUMID生成部３１ｄ、および、プロキシUMID生成部３１ｅと基本的な構成は同様である。しかしながら、エディットリスト編集部１４が、ディスク装置１に供給されるクリップに処理を行うのに対して、エディットリスト編集部４５は、撮像に伴ってクリップデータ編集部４４において行われる編集処理に伴って生成される各種の情報に基づいて、編集結果に関する情報であるエディットリストを生成し、記憶部５２に記憶させる点で異なる。従って、UMID生成部６１におけるUMIDの生成方法については、UMID生成部３１と同様である。
【００６２】
次に、図４を参照して、撮像装置３の構成について説明する。
【００６３】
基本的に撮像装置３は、撮像装置２と同様の構成であるが、UMIDを生成することができない点が異なる。
【００６４】
撮像装置３のCPU７１、ROM７２、RAM７３、クリップデータ編集部７４、バス７６、入出力インタフェース７７、撮像部７８、音声入力部７９、入力部８０、出力部８１、記憶部８２、通信部８３、ドライブ８４、および、リムーバルメディア８５の構成は、図３の撮像装置２のCPU４１、ROM４２、RAM４３、クリップデータ編集部４４、バス４６、入出力インタフェース４７、撮像部４８、音声入力部４９、入力部５０、出力部５１、記憶部５２、通信部５３、ドライブ５４、および、リムーバルメディア５５と同様であるので、その説明は、省略する。
【００６５】
メタデータ編集部７５は、クリップデータ編集部７４により生成されたクリップに関するメタデータを編集し（生成し）、クリップに対応付けて記憶部５２に記憶させる。従って、生成されるクリップには、UMIDが付されない。
【００６６】
次に、図５を参照して、編集装置４の構成について説明する。
【００６７】
編集装置４のCPU１０１、ROM１０２、RAM１０３、バス１０６、入出力インタフェース１０７、入力部１０８、出力部１０９、記憶部１１０、通信部１１１、ドライブ１１２、および、リムーバルメディア１１３の構成は、図２のディスク装置１のCPU１１、ROM１２、RAM１３、バス１５、入出力インタフェース１６、入力部１７、出力部１８、記憶部１９、通信部２０、ドライブ２１、および、リムーバルメディア２３と同様であるので、その説明は、省略する。
【００６８】
クリップデータ編集部１０４は、基本的に、クリップデータ編集部７４と同様のものであるが、クリップデータ編集部７４が、撮像処理により撮像された画像データや音声データに基づいて、クリップを生成するのに対して、クリップデータ編集部１０４は、ユーザにより入力部１０８が操作されることにより編集されたクリップデータを編集する点で異なる。
【００６９】
すなわち、クリップデータ編集部１０４は、出力部１０９を制御してディスプレイ等にGUI（Graphical User Interface）等を表示させ、入力部１０８を介してユーザからの操作入力を受け付け、その操作入力等に基づいて、記憶部１１０、または、ドライブ１１２に装着されたリムーバルメディア１１３に記録されている画像データ、音声データ、ローレゾデータ、またはメタデータ等、または、通信部１１１を介して取得したローレゾデータ等に対して、編集処理を行い、編集内容に関する情報や、編集後のデータに関する情報等を生成し、エディットリスト編集部１０５に供給する。
【００７０】
エディットリスト編集部１０５は、基本的に、図２のディスク装置１のエディットリスト編集部１４と同様のものであり、従って、UMID生成部１２１、クリップUMID生成部１２１ａ、RTM-UMID生成部１２１ｂ、ピクチャUMID生成部１２１ｃ、オーディオUMID生成部１２１ｄ、および、プロキシUMID生成部１２１ｅについても、UMID生成部３１、クリップUMID生成部３１ａ、RTM-UMID生成部３１ｂ、ピクチャUMID生成部３１ｃ、オーディオUMID生成部３１ｄ、および、プロキシUMID生成部３１ｅと基本的な構成は同様である。しかしながら、エディットリスト編集部１４が、ディスク装置１に供給されるクリップに処理を行うのに対して、エディットリスト編集部１０５は、ユーザによる編集操作に伴ってクリップデータ編集部４４において行われる編集処理により生成される各種の情報に基づいて、編集結果に関する情報であるエディットリストを生成し、記憶部１１０に記憶させる点で異なる。従って、UMID生成部１２１におけるUMIDの生成方法については、UMID生成部３１と同様である。
【００７１】
NRT編集部１２２は、NRT編集部３２と同様のものであり、クリップデータ編集部１０４のクリップの編集に伴って生成される各種の情報に基づいて、編集結果に関する情報のうち、NRTを編集する。
【００７２】
また、NRT編集部１２２は、UMIDが付されていないクリップ、すなわち、UMIDを生成する機能を備えていない、例えば、図１の撮像装置３や編集装置５により生成されたクリップにNRTを生成する。
【００７３】
次に図６を参照して、編集装置５の構成について説明する。
【００７４】
編集装置５は、基本的に編集装置４と同様のものであるが、UMIDを生成すること、または、UMIDを認識することができない点で異なる。
【００７５】
編集装置５のCPU１３１、ROM１３２、RAM１３３、クリップデータ編集部１３４、バス１３６、入出力インタフェース１３７、入力部１３８、出力部１３９、記憶部１４０、通信部１４１、ドライブ１４２、および、リムーバルメディア１４３の構成は、図５の編集装置４のCPU１０１、ROM１０２、RAM１０３、クリップデータ編集部１０４、バス１０６、入出力インタフェース１０７、入力部１０８、出力部１０９、記憶部１１０、通信部１１１、ドライブ１１２、および、リムーバルメディア１１３と同様であるので、その説明は、省略する。
【００７６】
メタデータ編集部１３５は、基本的に、メタデータ編集部７５と同様のものであり、クリップデータ編集部１３４により生成されたクリップに関するメタデータを編集し（生成し）、クリップに対応付けて記憶部１４０に記憶させる。従って、生成されるクリップには、UMIDが付されない。
【００７７】
次に、図７を参照して、UMIDのフォーマットについて説明する。
【００７８】
UMIDには、基本UMID（図７中のBasic UMID）と、拡張UMID（図７中のExtended UMID）の２種類のUMIDが存在する。尚、本明細書においては、拡張UMIDはExtended UMIDと称し、基本UMIDは、基本UMID、または、UMIDと称するものとする。
【００７９】
図７で示されるように、ExtendedUMID（図７中では、Extended UMID）は、64バイト（bytes）の情報であり、そのうちの先頭（図中の左）から32バイトが基本UMIDであり、残りの32バイトがソースパック（Source Pack）である。
【００８０】
基本UMIDは、マテリアルID（Material ID）として機能するものであり、Extended UMIDを識別するIDである。基本UMIDは、固定ヘッダを示すUniversal Label（図中のUniv Label）、データ長を示すLength（図中のLで表示される部分）、素材間を関連付けるための情報を示すインスタンス番号（例えば、あるExtended UMIDを持ったデータをコピーした場合には、元のデータに付されたExtended UMIDのインスタンス番号だけを変更して新たなExtended UMIDを生成することで、元のデータとの関係が示される）を示すInstance Number（図中のIns.No.）、および、画像としての素材を識別するMaterial Number（図中のMat.No.）から構成される。これらは、先頭からそれぞれ、12バイト、１バイト、３バイト、および、１６バイトのデータ長のデータとして記憶される。尚、ここでは、Univ Labelが、Keyデータとして、LengthがLengthデータとして、Inst.No.、および、Mat.No.がValueデータとして構成された、KLVデータとしての構造がなされている。
【００８１】
また、ソースパックは、先頭から、日付、および、時刻を示すWhenデータ（図中のDate/Time）、Altitude（高さ）、Latitude（経度）、および、Longitude（緯度）を示すWhereデータ（図中のAlt./Lat./Long.）、および、撮影者を特定する情報であるUser Infomationを示すWhoデータ（図中では、User Info.）から構成されており、画像データがいつ（When）、どこで（Where）、誰に（Who）撮像されたものであるかを示す情報が含まれており、それぞれ、先頭から8バイト、12バイト、および、12バイトのデータとして記録されている。
【００８２】
尚、以降の説明においては、基本UMIDについてのみ扱うものとし、基本UMIDを単にUMIDと称するものとする。
【００８３】
次に、図８を参照して、UMIDのMaterial Numberの詳細な構造について説明する。
【００８４】
図８で示されるように、Material Numberは、１６バイト（bytes）の情報であり、そのうちの先頭（図中の左）から８バイトがタイムスナップ（TimeSnap）であり、さらに、先頭から９，１０バイト目がランダムナンバー（RND）であり、さらに、残りの6バイトがデバイスノード（Device Node）である。
【００８５】
タイムスナップは、UMIDが生成されるときの日時の情報に基づいて生成される値である。ランダムナンバーは、16ビットの乱数を発生させることにより生成される値であり、同時に複数のUMIDが生成されるような場合、同一のUMIDが生成されないように設けられている。デバイスノードは、各装置に固有の値である。
【００８６】
UMIDは、以上のような構成で、各素材に対して個々に設定される。すなわち、クリップ、RTM、画像データ、各チャンネル毎の音声データ、および、プロキシデータのそれぞれについて、それぞれUMIDが設定され、さらに、クリップ、画像データ、各チャンネル毎の音声データ、および、プロキシデータ毎に、MpUmid（Material Package Umid）とFpUmid（File Package Umid）が設定される。ここで、MpUmidは、そのデータを構成する個々のファイルに付されるUMIDであり、FpUmidは、そのデータを構成するファイルが纏まったものに付されるUMIDである。
【００８７】
次に、図９のフローチャートを参照して、撮像装置２による撮像処理について説明する。
【００８８】
ステップＳ１において、撮像部４８は、画像を撮像して、画像データとしてクリップデータ編集部４４に供給する。ステップＳ２において、音声入力部４９は、取得した音声に基づいて、音声データを生成し、クリップデータ編集部４４に供給する。
【００８９】
ステップＳ３において、クリップデータ編集部４４は、供給された画像データ、および、音声データに基づいて、プロキシデータを生成する。ステップＳ４において、クリップデータ編集部４４は、RTMを生成し、画像データ、音声データ、および、プロキシデータと共にエディットリスト編集部４５に供給する。
【００９０】
ステップＳ５において、エディットリスト編集部４５のUMID生成部６１は、UMID新規生成処理を実行し、クリップの各素材に対してUMIDを生成する。
【００９１】
ここで、図１０のフローチャートを参照して、UMID新規生成処理について説明する。
【００９２】
ステップＳ１１において、クリップUMID生成部６１ａは、クリップのMpUmidを生成する時刻に応じて、MpUmidを新規に生成する。例えば、クリップUMID生成部６１ａが、クリップに対するMpUmidを、図１１で示されるように、”060A2B340101010501010D43130000006C291C00722405C2080046020117F001”として生成するものとする。尚、図１１においては、図中の最上段には、「UMID of Input signal」と示され、供給された素材のUMIDを示している。今の場合、新規生成処理であるので供給される素材はなく、従ってUMIDは存在しないので「None」と表示されている。
【００９３】
その下には、「Clip.smi」と示されており、上から順にクリップに付されるUMIDうち、MpUmidとFpUmidとが示されている。「Clip.smi」の下には、「RealTimeMeta.bin」と示されており、RTMに付されるUMIDであるBodyUmidとが示されている。「RealTimeMeta.bin」の下には、「Picture.mxf」と示されており、上から順に画像データに付されるUMIDのうちMpUmidとFpUmidとが示されている。
【００９４】
さらに、「Picture.mxf」の下には、「AudioCh1.mxf」、「AudioCh2.mxf」、「AudioCh3.mxf」、および「AudioCh4.mxf」が示されており、上から順に音声データの第１チャンネル乃至第４チャンネルのそれぞれに付されるUMIDのMpUmidとFpUmidとが示されている。「AudioCh4.mxf」の下には、「Proxy.mxf」と示されており、プロキシデータに付されるUMIDのMpUmidとFpUmidとが示されている。尚、以降においても、同様に表示するものとする。
【００９５】
ステップＳ１２において、クリップUMID生成部６１ａは、クリップのMpUmidにおけるTimeSnapを１インクリメントして、クリップのFpUmidを生成する。すなわち、図１１で示されるように、クリップUMID生成部６１ａは、クリップのMpUmidにおけるTimeSnapの先頭バイトである「6C」を１インクリメントすることにより「6D」とし、これをクリップのFpUmidとして新たに生成する。図１１においては、黒地に白文字で示された部分である。
【００９６】
ステップＳ１３において、RTM-UMID生成部６１ｂは、クリップのMpUmidをRTMのBodyUmidとする。すなわち、図１１で示されるように、RTMのBodyUmidは、クリップのMpUmidと同じ値として生成される。
【００９７】
ステップＳ１４において、ピクチャUMID生成部６１ｃは、クリップのMpUmidおよびFpUmidのMaterialTypeを変更して、画像データのMpUmidおよびFpUmidを生成すると共に、オーディオUMID生成部６１ｄは、クリップのMpUmidおよびFpUmidのMaterialTypeを変更して、第１チャンネルの音声データのMpUmidおよびFpUmidを生成する。ここで、MaterialTypeとは、Universal Lavelにおける１２バイト目の値であり、UMIDが付されたデータの素材の種類を識別するものである。MaterialTypeは、例えば、「0D」がグループデータを示し、「06」は画像データを示し、「08」が音声データを示す。
【００９８】
図１１の場合、クリップと画像データのそれぞれのMpUmidとFpUmidを比較すると、クリップのMaterialTypeが「0D」であり、画像データのMaterialTypeが「06」であることが示されており、ピクチャUMID生成部６１ｃが、MaterialTypeを「0D」から「06」に変更したことにより、画像データのMpUmidとFpUmidが生成されていることが示されている。同様にして、クリップと第１チャンネルの音声データのそれぞれのMpUmidとFpUmidを比較すると、クリップのMaterialTypeが「0D」であり、第１チャンネルの音声データのMaterialTypeが「08」であることが示されており、オーディオUMID生成部６１ｄが、MaterialTypeを「0D」から「08」に変更したことにより、第１チャンネルの音声データのMpUmidとFpUmidが生成されていることが示されている。尚、図中においては、MaterialTypeを示すバイトの文字は、黒地に白文字で示されており、以降においても同様とする。
【００９９】
ステップＳ１５において、オーディオUMID生成部６１ｄは、第１チャンネルの音声データのMpUmid、および、FpUmidのTimeSnapの先頭バイトを、それぞれ順次２ずつインクリメントして、第２乃至第４チャンネルの音声データのMpUmidおよびFpUmidを生成する。
【０１００】
すなわち、図１１で示されるように、第１チャンネルの音声データにおけるMpUmidとFpUmidのTimeSnapの先頭バイトの値は、それぞれ「6C」および「6D」である。オーディオUMID生成部６１ｄは、このそれぞれの値を２インクリメントすることにより、それぞれ「6E」および「6F」にして、第２チャンネルの音声データにおけるMpUmidとFpUmidを生成する。
【０１０１】
同様にして、第２チャンネルの音声データにおけるMpUmidとFpUmidのTimeSnapの先頭バイトの値は、それぞれ「6E」および「6F」となるので、オーディオUMID生成部６１ｄは、このそれぞれの値を、さらに、２インクリメントすることにより、それぞれ「70」および「71」にして、第３チャンネルの音声データにおけるMpUmidとFpUmidを生成する。
【０１０２】
さらに、第３チャンネルの音声データにおけるMpUmidとFpUmidのTimeSnapの先頭バイトの値は、それぞれ「70」および「71」であるので、オーディオUMID生成部６１ｄは、このそれぞれの値を、さらに、２インクリメントすることにより、それぞれ「72」および「73」にして、第４チャンネルの音声データにおけるMpUmidとFpUmidを生成する。結果として、音声データは、チャンネル毎に第１チャンネル乃至第４チャンネルのMpUmidとFpUmidが連続的なTimeSnapとなって構成される。
【０１０３】
ステップＳ１６において、プロキシUMID生成部６１ｅは、クリップのMpUmidとFpUmidの、それぞれのインスタンス番号の先頭バイトを「00」から、プロキシデータであることを示す「FF」に変更することでプロキシデータのMpUmidとFpUmidを生成する。
【０１０４】
以上のような処理により、実質的に、クリップのMpUmidのみを生成するだけで、その他のUMIDを連鎖的に生成することができ、大量のUMIDを高速に生成することが可能となっている。
【０１０５】
ここで、図９のフローチャートに戻る。
【０１０６】
ステップＳ６において、エディットリスト編集部４５は、ステップＳ５の処理で生成された各UMIDをクリップ、画像データ、音声データ、RTM、および、プロキシデータに付加する。
【０１０７】
ステップＳ７において、NRT生成部６２は、生成されたクリップの情報に基づいて、NRTを新規に生成する。すなわち、NRT生成部６２は、生成されたクリップの情報に伴って、lastUpdate（NRTの生成の日時の情報）、umidRef（リンク時に参照する参照UMIDの情報）、CreationDate（対象クリップの生成日時の情報）、LastUpdate（対象クリップの更新日時の情報）、Format（機器で生成される情報のフォーマット形式）、および、Title（生成されたNRTのタイトル）を生成する。
【０１０８】
ステップＳ８において、記憶部５２は、画像データ、音声データ、RTM、および、プロキシデータにUMIDが付されたクリップとNRTを対応付けて記憶する。
【０１０９】
以上の処理により、撮像により生成されるクリップは、画像データ、（チャンネル毎の）音声データ、RTM、および、プロキシデータといった複数の素材を含み、クリップが１つ生成されるに伴って、複数の素材に対してUMIDが必要となるが、クリップのMpUmidを生成した後、TimeSnapを１インクリメントしてクリップのFpUmidを生成し、MaterialTypeを変更するだけで、画像データと第１チャンネルの音声データのMpUmidとFpUmidを生成し、また、第１チャンネルの音声データのMpUmidとFpUmidをTineSnapを順次２ずつインクリメントすることにより、第２乃至第４チャンネルのMpUmidとFpUmidを生成し、さらに、クリップのMpUmidとFpUmidにおけるインスタンス番号を変更させるのみでプロキシデータのMpUmidとFpUmidを生成するようにしたので、実質的には、クリップのMpUmidを生成するのみで、それ以外のUMIDは、連鎖的に生成することができるので、高速で、大量の固有のUMIDを生成することが可能となる。
【０１１０】
尚、UMIDに対応していない撮像装置３においては、ステップＳ３乃至Ｓ６の処理が省略され、さらに、NRTを生成する代わりに、メタデータ編集部７５によりメタデータが生成される。従って、クリップは生成されるが、UMIDやNRTが付されていないものとなる。
【０１１１】
また、以上の処理においては、クリップの生成時にNRTを併せて生成する場合について説明してきたが、NRTは、必ずしも生成しないようにしてもよい。その場合、ステップＳ６の処理が省略され、UMIDが付されたクリップのみが生成される。
【０１１２】
次に、図１２のフローチャートを参照して、撮像装置２による撮像処理により生成されたNRTなしのクリップをFTPによりディスク装置１に送信し、インポートさせる（記録させる）処理について説明する。尚、UMIDが生成される処理のモードが、変更モードの場合について説明する。
【０１１３】
ステップＳ３１において、撮像装置２の通信部５３は、記憶部５２に記憶されているクリップを読み出し、図１３で示されるように、ステップＳ３２において、ネットワーク６を介してディスク装置１に送信する。尚、図１３においては、撮像装置２の「Clip」と示された部分が、送信されるクリップを示しており、さらに、その上に示された「U1」は、生成時に付されたUMID（クリップのMpUmidを示したものとするが、クリップのFpUmid、RTMのBodyUmid、画像データのMpUmidとFpUmid、音声データの各チャンネルののMpUmidとFpUmid、およびプロキシデータのMpUmidとFpUmidのそれぞれを含めたものとする）を示しており、上述したクリップ、RTM、画像データ、音声データ、およびプロキシデータのそれぞれのUMIDを含むものである。また、以降においても同様に表示するものとする。
【０１１４】
ステップＳ４１において、通信部２０は、撮像装置２より送信されてくるクリップを取得する。
【０１１５】
ステップＳ４２において、エディットリスト編集部１４のUMID生成部３１は、撮像装置２より、ネットワーク６、および、通信部２０を介して取得されたクリップのUMIDを変更モードで生成する。すなわち、送信されてきたクリップは、ディスク装置１内において、新たにクリップが生成されるものと同様に、UMIDが付される。
【０１１６】
ここで、図１４のフローチャートを参照して、変更モードのUMID生成処理について説明する。
【０１１７】
ステップＳ５１において、クリップUMID生成部５１ａは、クリップに対するMpUmidを生成する時刻に応じて新規に生成する。例えば、クリップUMID生成部３１ａが、クリップに対するMpUmidが、図１５で示されるように、”060A2B340101010501010D43130000006C291C00722405C2080046020117F001”に生成されるものとする。尚、図１５においては、図中の最上段には、「UMID of Input signal」と示され、送信されてきたクリップのMpUmidのUMIDを示している。今の場合、送信されてきたクリップに付されているUMIDは” 060A2B340101010501010D43130000002405C2080046020117F0016C291C0072”と表示されている。
【０１１８】
ステップＳ５２において、クリップUMID生成部３１ａは、送信されてきたクリップに付されていたMpUmidにおけるインスタンス番号を（01＋乱数）に変更して、新たなクリップのFpUmidを生成する。すなわち、図１５で示されるように、クリップUMID生成部６１ａは、供給されたクリップに付されていたMpUmidにおけるインスタンス番号である「000000」を「01ABCD」に変更することにより、新たなクリップのFpUmidを生成する。図１５においては、黒地に白文字で示された部分である。尚、インスタンス番号における「ABCD」は、乱数により発生された値を示している。
【０１１９】
ステップＳ５３において、RTM-UMID生成部３１ｂは、送信されてきたクリップのMpUmidをRTMのBodyUmidとする。すなわち、図１５で示されるように、RTMのBodyUmidは、クリップのMpUmidと同じ値として生成される。
【０１２０】
ステップＳ５４において、ピクチャUMID生成部３１ｃは、クリップのMpUmidおよびFpUmidのMaterialTypeを変更して、画像データのMpUmidおよびFpUmidを生成すると共に、オーディオUMID生成部３１ｄは、クリップのMpUmidおよびFpUmidのMaterialTypeを変更して、第１チャンネルの音声データのMpUmidおよびFpUmidを生成する。
【０１２１】
ステップＳ５５において、オーディオUMID生成部３１ｄは、第１チャンネルの音声データのMpUmidのTimeSnapの先頭バイトを、それぞれ順次２ずつインクリメントして、第２乃至第４チャンネルの音声データのMpUmidを生成すると共に、第１チャンネルの音声データのFpUmidのインスタンス番号の最終バイトを、それぞれ順次１ずつインクリメントして、第２乃至第４チャンネルの音声データのFpUmidを生成する。
【０１２２】
すなわち、図１５で示されるように、第１チャンネルの音声データにおけるMpUmidのTimeSnapの先頭バイトの値は「6C」である。オーディオUMID生成部３１ｄは、この値を２インクリメントすることにより、それぞれ「6E」にして、第２チャンネルの音声データにおけるMpUmidを生成する。
【０１２３】
同様にして、第２チャンネルの音声データにおけるMpUmidのTimeSnapの先頭バイトの値は、それぞれ「6E」となるので、オーディオUMID生成部３１ｄは、この値を、さらに、２インクリメントすることにより、「70」にして、第３チャンネルの音声データにおけるMpUmidを生成する。
【０１２４】
さらに、第３チャンネルの音声データにおけるMpUmidのTimeSnapの先頭バイトの値は、「70」であるので、オーディオUMID生成部３１ｄは、この値を、さらに、２インクリメントすることにより、「72」にして、第４チャンネルの音声データにおけるMpUmidを生成する。
【０１２５】
また、第１チャンネルの音声データにおけるFpUmidのインスタンス番号の値は、「01ABCD」である。オーディオUMID生成部３１ｄは、この値を１インクリメントすることにより、「01ABCE」にして、第２チャンネルの音声データにおけるFpUmidを生成する。
【０１２６】
同様にして、第２チャンネルの音声データにおけるFpUmidのインスタンス番号の値は、「01ABCE」となるので、オーディオUMID生成部３１ｄは、この値を、さらに、１インクリメントすることにより、それぞれ「01ABCF」にして、第３チャンネルの音声データにおけるFpUmidを生成する。
【０１２７】
さらに、第３チャンネルの音声データにおけるFpUmidのインスタンス番号の値は、それぞれ「01ABCF」であるので、オーディオUMID生成部３１ｄは、この値を、さらに、１インクリメントすることにより、「01ABD0」にして、第４チャンネルの音声データにおけるFpUmidを生成する。
【０１２８】
ステップＳ５６において、プロキシUMID生成部３１ｅは、クリップのMpUmidのインスタンス番号の先頭バイトを「00」から、プロキシデータであることを示す「FF」に変更し、クリップのFpUmidのインスタンス番号の最終バイトを１インクリメントしてプロキシデータのMpUmidとFpUmidを生成する。すなわち、図１５の場合、プロキシデータのMpUmidのインスタンスは、「FF0000」となり、FpUmidのインスタンスは、クリップのインスタンス番号の「01ABCD」に１インクリメントした「01ABCE」となる。
【０１２９】
以上のような処理により、実質的に、クリップのMpUmidのみを生成するだけで、その他のUMIDを連鎖的に生成することができ、高速に大量のUMIDを生成することが可能となっている。
【０１３０】
ここで、図１２のフローチャートの説明に戻る。
【０１３１】
ステップＳ４３において、エディットリスト編集部１４は、UMID生成部３１により生成されたUMIDを、送信されてきたクリップの各素材、すなわち、クリップ、RTM、画像データ、音声データ、およびプロキシデータのそれぞれについて付加する。
【０１３２】
ステップＳ４４において、エディットリスト編集部１４は、送信されてきたクリップの情報に基づいて、プロキシデータを生成する。
【０１３３】
ステップＳ４５において、NRT編集部３２は、NRTを新規に生成する。すなわち、NRT編集部３２は、生成されたクリップの情報に基づいて、NRTを新規に生成する。すなわち、NRT生成部６２は、生成されたクリップの情報に伴って、図１３で示されているように、lastUpdate（本NRTの生成の日時の情報）として「本NRT生成時刻」を記録し、umidRef（リンク時に参照する参照UMIDの情報）として「U2」を記録し、CreationDate（対象クリップの生成日時の情報）として「対象Clip生成時刻」を記録し、LastUpdate（対象クリップの更新日時の情報）は新規であるのでブランクとし、Format（機器で生成される情報のフォーマット形式）として「IMX」とし、および、Title（生成されたNRTのタイトル）は新規に生成されて編集されていないのでブランクとして記録することで、新規にNRTを生成する。尚、図１３においては、新規に記録された情報については、黒地に白文字で表示されている。また、送信されてきたクリップのUMIDは、送信前のクリップのUMIDを示す「U1」より「U2」に変更され、新たにUMIDが生成されていることが示されている。
【０１３４】
ステップＳ４６において、ディスク駆動部２２は、新たなUMIDが付されている、送信されてきたクリップと、生成されたNRTを対応付けてディスク記録媒体２４に記録する。
【０１３５】
以上の処理により、変更モードにおいては、撮像装置２による撮像で生成されたクリップがディスク装置１に転送されると、クリップはそのままの状態で、UMIDが新たに付されることにより、UMIDが変更されて記録される。この処理により、クリップを生成した撮像装置２におけるクリップと、クリップを記録したディスク装置１におけるクリップは、それぞれ異なるUMIDが付されることにより、以降の処理で編集が加えられるなどしても、区別して管理することが可能となる。
【０１３６】
しかしながら、複数のスタッフが、それぞれ異なる装置で同一のクリップを編集したい場合、上述のように、装置間でクリップを移動させる毎にUMIDを変化させると、返ってクリップの管理が難しくなるような場合がある。そこで、クリップが装置間を移動してもUMIDを保存するようにしたモードが保存モードである。
【０１３７】
次に、図１６のフローチャートを参照して、UMIDが生成される処理のモードが、保存モードの場合の撮像装置２による撮像処理により生成されたNRTなしのクリップをFTPによりディスク装置１に送信し、インポートさせる（記録させる）処理について説明する。尚、図１６のフローチャートのステップＳ６１，Ｓ６１の処理、および、ステップＳ７１，Ｓ７３乃至７６の処理は、図１２のフローチャートを参照して説明したステップＳ３１，Ｓ３２の処理、および、ステップＳ４１，Ｓ４２乃至Ｓ４６の処理と同様であるので、その説明は省略する。
【０１３８】
ステップＳ７２において、エディットリスト編集部１４のUMID生成部３１は、撮像装置２より、ネットワーク６、および、通信部２０を介して送信されてきたクリップのUMIDを保存モードで生成する。すなわち、送信されてきたクリップは、ディスク装置１内において、そのままの状態で記録される。
【０１３９】
ここで、図１７のフローチャートを参照して、保存モードのUMID生成処理について説明する。
【０１４０】
ステップＳ８１において、クリップUMID生成部５１ａは、クリップに対するMpUmidを生成する時刻に対応して、新規に生成する。例えば、クリップUMID生成部５１ａが、クリップに対するMpUmidを、図１８で示されるように、”060A2B340101010501010D43130000002405C2080046020117F0016C291C0072”として生成するものとする。尚、図１８においては、図中の最上段には、「UMID of Input signal」と示され、送信されてきたクリップのMpUmidのUMIDを示している。今の場合、送信されてきたクリップに付されているMpUmidは”060A2B340101010501010D43130000002405C2080046020117F0016C291C0072”と示されており、送信されてきたクリップに付されているFpUmidは” 060A2B340101010501010D4313000000F0016C291C00722405C2080046020117”と示されている。
【０１４１】
ステップＳ８２において、クリップUMID生成部３１ａは、送信されてきたクリップに付されていたFpUmidを、新たなクリップのFpUmidとする。すなわち、図１８で示されるように、クリップのFdUmidは、送信されてきたクリップのMpUmidと同じ値として生成される。
【０１４２】
ステップＳ８３において、RTM-UMID生成部３１ｂは、送信されてきたクリップのMpUmidをRTMのBodyUmidとして生成する。すなわち、図１５で示されるように、RTMのBodyUmidは、送信されてきたクリップのMpUmidと同じ値として生成される。
【０１４３】
ステップＳ８４において、ピクチャUMID生成部３１ｃは、クリップのMpUmidおよびFpUmidのMaterialTypeを変更して、画像データのMpUmidおよびFpUmidを生成すると共に、オーディオUMID生成部３１ｄは、クリップのMpUmidおよびFpUmidのMaterialTypeを変更して、第１チャンネルの音声データのMpUmidおよびFpUmidを生成する。
【０１４４】
ステップＳ８５において、オーディオUMID生成部３１ｄは、第１チャンネルの音声データのMpUmid、および、FpUmidのTimeSnapの先頭バイトを、それぞれ順次２ずつインクリメントして、第２乃至第４チャンネルの音声データのMpUmidおよびFpUmidを生成する。
【０１４５】
ステップＳ８６において、プロキシUMID生成部３１ｅは、クリップのMpUmidとFpUmidの、それぞれのインスタンス番号の先頭バイトを「00」から、プロキシデータであることを示す「FF」に変更することでプロキシデータのMpUmidとFpUmidを生成する。
【０１４６】
以上のような処理により、実質的に、クリップのMpUmidは、生成される処理となっているが、変更されておらず、また、その他のUMIDを連鎖的に生成することができ、高速にUMIDを生成することが可能となっている。
【０１４７】
すなわち、図１９で示されるように、撮像装置２により生成されたクリップおよびUMIDの情報は、そのままの状態で（図１９で示されるように、撮像装置２においても、ディスク装置１においても、クリップのUMIDは「U1」のままで）、ディスク装置１に記録され、新たにNRTが生成される。
【０１４８】
このような処理により、クリップを他の装置で編集して、さらに、元に戻すような場合の管理を容易にすることが可能となる。
【０１４９】
尚、クリップのUMIDの管理は、基本的に、装置間で移動があった場合は、原則として更新モードによりUMIDが生成され、特に、後に編集後のクリップを元に戻すことが確定しているような特殊な場合に限り保存モードが適用される。そこで、更新モードによるUMIDの更新が前提されたFTP転送を特に標準FTP転送と称し、また、保存モードによるUMIDの更新（実際には、更新されない）が前提とされたFTP転送を特に拡張FTP転送と称するものとする。
【０１５０】
次に、図２０のフローチャートを参照して、撮像装置２による撮像処理により生成されたNRTを含むクリップを標準FTP転送によりディスク装置１に送信し、インポートさせる（記録させる）処理について説明する。尚、図２０のフローチャートのステップＳ１１１乃至１１４，Ｓ１１６の処理は、図１２のフローチャートを参照して説明したステップＳ４１乃至Ｓ４４，Ｓ４６の処理と同様であるので、その説明は省略する。
【０１５１】
ステップＳ１０１において、撮像装置２の通信部５３は、記憶部５２に記憶されているクリップとNRTを読み出し、図２１で示されるように、ステップＳ１０２において、ネットワーク６を介してディスク装置１に送信する。
【０１５２】
ステップＳ１１５において、NRT編集部３２は、送信されてきたNRTを更新する。すなわち、NRT編集部３２は、送信されてきたNRTを、生成されたクリップの情報に基づいて更新する。すなわち、NRT生成部６２は、生成されたクリップの情報に伴って、図２１で示されているように、NRTを更新した時刻を示すlastUpdateとして「本NRT生成時刻」を更新し、新たに生成されたUMIDに対してリンクが更新されたのでumidRef（リンク時に参照する参照UMIDの情報）を「U1」より「U2」に更新する。
【０１５３】
以上の処理により、標準FTP転送において、新たに生成されたUMIDに対応してNRTが更新されるので、クリップの管理が容易なものとなる。
【０１５４】
次に、図２２のフローチャートを参照して、撮像装置２の撮像処理により生成されたNRTを含むクリップを拡張FTP転送によりディスク装置１に送信し、インポートさせる（記録させる）処理について説明する。尚、図２２のフローチャートのステップＳ１３１乃至１３４，Ｓ１３６の処理は、図１６のフローチャートを参照して説明したステップＳ７１乃至Ｓ７４，Ｓ７６の処理と同様であるので、その説明は省略する。
【０１５５】
ステップＳ１２１において、撮像装置２の通信部５３は、記憶部５２に記憶されているクリップとNRTを読み出し、図２３で示されるように、ステップＳ１２２において、ネットワーク６を介してディスク装置１に送信する。
【０１５６】
ステップＳ１３５において、NRT編集部３２は、送信されてきたNRTをそのまま保存する。すなわち、図２３で示されるように、撮像装置１におけるクリップ、UMID（「U2」と記録されている）、および、NRT（lastUpdate（本NRTの生成の日時の情報）として「本NRT生成時刻」を記録され、umidRef（リンク時に参照する参照UMIDの情報）として「U2」を記録され、CreationDate（対象クリップの生成日時の情報）として「対象Clip生成時刻」を記録され、LastUpdate（対象クリップの更新日時の情報）はブランクとされ、Format（機器で生成される情報のフォーマット形式）として「IMX」とされ、そして、Title（生成されたNRTのタイトル）は編集されていないのでブランクとして記録されている）は、ディスク装置１において、同一の状態で記録される。
【０１５７】
以上の処理により、装置間でクリップが拡張FTP転送される場合において、UMIDが保存された状態となると共に、対応してNRTもそのまま保存されるので、状況に応じて、クリップの管理が容易なものとなる。
【０１５８】
次に、図２４のフローチャートを参照して、撮像装置３による撮像処理により生成されたNRTなしのクリップを標準FTP転送によりディスク装置１にインポートさせ（記録させ）、さらに、ディスク装置１において既存のNRT付きのクリップに対して上書きさせる処理について説明する。尚、図２４のフローチャートのステップＳ１５１，Ｓ１５３乃至Ｓ１５７の処理は、図１２のフローチャートにおけるステップＳ４１乃至Ｓ４６の処理と同様であるので、その説明は省略する。
【０１５９】
ステップＳ１４１において、撮像装置３の通信部８３は、記憶部８２に記憶されているクリップを読み出し、図２５で示されるように、ステップＳ１４２において、ネットワーク６を介してディスク装置１に送信する。すなわち、撮像装置３は、UMIDをクリップに付することができないので、図２５の撮像装置３に示されるように、送信されてくるクリップには、UMIDが付されていない（UMIDの枠内は空欄となっている）。
【０１６０】
ステップＳ１５２において、エディットリスト編集部１４は、撮像装置３よりクリップが送信されてくると、ディスク駆動部２２を制御して、ディスク記録媒体２４に記録されている、既存のクリップを削除する。
【０１６１】
すなわち、図２５で示されているように、ディスク装置１には（図中の上部には）、既存のクリップとしてUMIDに「U1」と付されたNRT（図２５においては、lastUpdateが「本NRT生成時刻」として、umidRefが「U1」として、CreationDate「対象Clip（U1）新規生成時刻」として、LastUpdateがブランク状態で、FormatがIMXとして、Titleがブランク状態で記録されたNRT）付きのクリップが存在しているが、エディットリスト編集部１４は、既存のNRTを残してクリップを削除する。そして、ステップＳ１５３において、変更モードでUMIDが生成され、ステップＳ１５４において、生成されたUMIDが送信されてきたクリップに対して付される。すなわち、図２５で示されるように、既存のUMIDである「U1」に代えて、更新モードで生成されたUMIDである「U3」が、送信されてきたクリップに付されている。
【０１６２】
さらに、ステップＳ１５６において、NRTが新規に生成される。すなわち、図２５の上部に示されている既存のクリップに付されていたNRTとは別に、図２５の下部で示されているように、送信されてきたクリップに対する新たなNRTが生成される。尚、図２５の下部の新規に生成されたNRTについては、新規に記録されている情報が黒地に白文字で示されており、lastUpdateが「本NRT生成時刻」として、umidRefが「U3」として、CreationDateが「対象Clip（U3）新規生成時刻」として、LastUpdateがブランク状態で、FormatがIMXとして、Titleがブランク状態で記録されている。
【０１６３】
すなわち、図２４のフローチャートを参照して説明した上書き処理は、実質的には、既存のクリップを削除した後、新規のクリップを生成する場合と同様の処理となっている。
【０１６４】
従って、例えば、NRTを新規に生成するのではなく、既存のNRTに対して更新するようにしても良い。図２６のフローチャートは、撮像装置３による撮像処理により生成されたNRTなしのクリップを標準FTP転送によりディスク装置１に送信しインポートさせ、さらに、ディスク装置１において既存のNRT付きのクリップに対して、NRTを更新して上書きさせる処理について説明する。尚、図２６のフローチャートのステップＳ１７１，Ｓ１７２の処理、および、ステップＳ１８１乃至Ｓ１８５，Ｓ１８７の処理は、図２４のフローチャートにおけるステップＳ１４１，Ｓ１４２の処理、および、ステップＳ１５１乃至Ｓ１５５，Ｓ１５７の処理と同様であるので、その説明は省略する。
【０１６５】
ステップＳ１８６においては、図２７で示されるように、NRTが更新される。すなわち、図２７のディスク装置１の上部に示されている既存のクリップに付されていたNRTの情報のうち、図２７のディスク装置１の下部で示されているように、送信されてきたクリップに対する新たなクリップに対応する情報が更新される。尚、図２７の下部の新規に生成されたNRTについては、新規に記録されている情報が黒地に白文字で示されており、lastUpdateが「本NRT更新時刻」として、umidRefが「U3」として、CreationDateが「対象Clip（U1）新規生成時刻」として、LastUpdateが「対象Clip（U3）更新時刻」として、FormatがIMXとして、Titleがブランク状態で記録されている。すなわち、NRTが新規に生成されるのではなく、既存のNRTに対して更新されるので、lastUpdate、umidRef、および、LastUpdateが新たに生成されたUMIDに対応するように変更されており、CreationDateが、既存のNRTに記録されていた「対象Clip（U1）新規生成時刻」のまま変更されていない。
【０１６６】
以上の処理により、クリップを編集装置５よりディスク装置１に送信する際、NRTを新規に生成する、または、送信されたクリップに応じて更新することが可能となり、必要に応じて処理を切替えてNRTを管理することが可能となる。
【０１６７】
次に、図２８のフローチャートを参照して、ディスク装置１が既存のNRTを編集装置４に送信し、編集装置４でNRTが編集された後、編集装置４が編集後のNRTをディスク装置１に上書きさせる処理について説明する。
【０１６８】
ステップＳ２０１において、ディスク装置１の通信部２２０は、ディスク駆動部２２によりディスク記録媒体２４より読み出された、例えば、図２９におけるディスク装置１の上部に示されたNRT付きのクリップのNRTをネットワーク６を介して、編集装置４に送信する。図２９において、ディスク装置１より送信されるクリップは、UMIDが「U1」で示され、NRTは、lastUpdateが「本NRT更新時刻」として、umidRefが「U1」として、CreationDateがブランク状態で、LastUpdateが「対象Clip（U3）更新時刻」として、FormatがIMXとして、Titleがブランク状態で記録されている。
【０１６９】
ステップＳ２１１において、編集装置４の通信部１１１は、ネットワーク６を介して、ディスク装置１より送信されてくるNRTを取得し、記憶部１１０に記憶させる。
【０１７０】
ステップＳ２１２において、エディットリスト編集部１０５は、記憶部１１０に記憶された、ディスク装置１より送信されてきたNRTを読み出し、ユーザにより入力部１０８が操作されて、このNRTが編集されたか否かを判定し、編集されたと判定されるまで、その処理を繰り返す。例えば、図２９で示されるように、Titleの情報がブランク状態であったものから「My Title」と編集されて、編集の処理が終了された場合、編集されたと判定され、その処理はステップＳ２１３に進む。
【０１７１】
ステップＳ２１３において、エディットリスト編集部１０５は、編集内容に対応してNRTを更新し、記憶部１１０に保存する。すなわち、エディットリスト編集部１０５は、図２９の編集装置４で示されるように、編集されたTitleの項目に「My Title」と更新すると共に、NRTの更新時刻を示すlasatUpdateを「本NRT更新時刻」に更新する。尚、図２９においては、更新された部分については、黒地に白文字で示されている。
【０１７２】
ステップＳ２１４において、通信部１１１は、記憶部１１０に記憶された編集されているNRTを読み出して、ネットワーク６を介してディスク装置１に送信する。
【０１７３】
ステップＳ２０２において、ディスク装置１の通信部２０は、編集装置４により編集されたNRTをネットワーク６を介して取得し、記憶部１９に記憶させる。
【０１７４】
ステップＳ２０３において、エディットリスト編集部１４は、記憶部１９に記憶された編集されているNRTを読み出して、シンタックス（Syntax）を確認する。すなわち、送信されてきたNRTが、文法的に正しく構成されているか否かを確認し、正しくない場合は、破棄し、正しい場合には、ステップＳ２０４の処理に進む。
【０１７５】
ステップＳ２０４において、エディットリスト編集部１４は、参照UMIDの整合性を確認する。すなわち、エディットリスト編集部１４は、NRTに記録されているumidRefに記録されているUMIDを読み出し、UMIDの整合性を確認する。今の場合、NRTのumidRefには、「U1」と記録されているので、実際に、UMIDが「U1」であるクリップが存在するか否かを確認する。今の場合、図２９の上部で示されているように、UMIDが「U1」であるクリップが存在するので、UMIDの整合性は確認されることになる。
【０１７６】
ステップＳ２０５において、エディットリスト編集部１４は、送信されてきたNRTをそのままの状態で記憶部１９に保存させる。すなわち、編集装置４により編集されたNRTが、UMIDが「U1」であるクリップのNRTとして保存されることになる。
【０１７７】
以上の処理により、ディスク装置１に記録されたクリップに付されたNRTを読み出して、編集装置４で編集し、この編集結果を上書きして記録させることが可能となる。
【０１７８】
次に、図３０のフローチャートを参照して、編集装置５により編集されたNRTを含むクリップを標準FTP転送によりディスク装置１に送信し、インポートさせる（記録させる）処理について説明する。尚、この処理は、図１２のフローチャートを参照して説明した処理と、図２８のフローチャートを参照して説明した処理を組み合わせた処理であるので、図３０のフローチャートにおけるステップＳ２２１乃至２２６の処理、および、ステップＳ２３１乃至Ｓ２４１の処理は、図１２のフローチャートを参照して説明したステップＳ３１，Ｓ３２の処理、および、図２８のステップＳ２１１乃至Ｓ２１４の処理、並びに、図１２のフローチャートのステップＳ４１乃至Ｓ４５の処理、および、図２８のステップＳ２０１乃至Ｓ２０５の処理と同様であるので、その説明は省略する。ただし、ステップＳ２２１乃至Ｓ２２６の処理は、エディットリスト編集部４５または１０５ではなく、メタデータ編集部１３５が処理を実行している。
【０１７９】
すなわち、編集装置５は、UMIDを生成することができないので（UMIDに対して非対応であるので）、編集されたクリップには、UMIDが付されず、また、NRTも生成されないので、ステップＳ２２２の処理により、図３１で示されるように、UMIDの欄は空欄となったままのクリップがディスク装置１に送信される。
【０１８０】
ステップＳ２３１において、ディスク装置１では、UMIDが付されていないクリップが取得されると、ステップＳ２３２の処理で、UMIDが生成され、ステップＳ２３３の処理で、クリップにUMIDが付されて、ステップＳ２３５の処理において、NRTが新規に生成されて、ディスク記録媒体２４に記録される。すなわち、図３１においては、UMIDとして「U1」が付され、さらに、lastUpdateが「本NRT生成時刻」として、umidRefが「U1」として、CreationDate「対象Clip（U1）新規生成時刻」として、LastUpdateがブランク状態で、FormatがIMXとして、Titleがブランク状態で記録されたNRTがクリップに付された状態でディスク記録媒体２４に記録されている。尚、図３１においては、新規に生成されるか、または、更新された部分については、黒地に白文字で示されている。
【０１８１】
その後、ステップＳ２３７の処理により、生成されたNRTが編集装置５に送信される。
【０１８２】
さらに、ステップＳ２２３乃至Ｓ２２５において、NRTが編集された後、ステップＳ２２６において、再びディスク装置１に送信される。この例においては、編集されたTitleの項目が「My Title」と更新されると共に、NRTの更新時刻を示すlasatUpdateが「本NRT更新時刻」に更新されている。
【０１８３】
そして、ステップＳ２３８乃至Ｓ２４１において、NRTの文法的な確認と、UMIDの整合性の確認の後、送信されてきたNRTがそのままクリップに対応付けられて記録される。
【０１８４】
以上の処理により、ディスク装置１が、編集装置５により編集されたクリップに対してUMIDを生成し、さらに、NRTを付した後、そのNRTを編集装置５で編集させて、編集結果をディスク装置１で記録するようにすることで、UMIDを生成することができない、または、UMIDを認識することができない編集装置５であっても、見かけ上はUMIDを生成することが可能となり、UMIDを認識することができる編集装置４と同等の処理を実行することが可能となる。
【０１８５】
次に、図３２のフローチャートを参照して、編集装置４により編集されたNRTを含むクリップを拡張FTP転送によりディスク装置１に送信し、インポートさせる（記録させる）処理について説明する。尚、図３２のフローチャートにおけるステップＳ２６１乃至２６６の処理は、図１６のフローチャートを参照して説明したステップＳ７１乃至Ｓ７６の処理と同様であり、さらに、図３２のステップＳ２６７乃至Ｓ２７０の処理は、図２８のフローチャートにおけるステップＳ２０２乃至Ｓ２０５の処理と同様であるので、その説明は省略する。
【０１８６】
すなわち、ステップＳ２５１において、編集装置４のエディットリスト編集部１０５は、記憶部１１０に記憶されているクリップを読み出し、ステップＳ２５２の処理により、通信部１１１は、読み出したクリップをネットワーク６を介してディスク装置１に送信する。すなわち、編集装置４は、UMIDを生成することが可能であるので、例えば、図３３で示されるように、送信されるクリップには、UMIDとして「U2」が付されたクリップがディスク装置１に送信される。
【０１８７】
この処理により、ステップＳ２６１乃至Ｓ２６６においては、このクリップに対応するUMIDを保存モードで生成し、付加すると共に、対応する新たなNRTが生成される。すなわち、図３３で示されるように、送信されたきたクリップのUMIDは、保存モードであるので、実質的に変化していないが、lastUpdateが「本NRT生成時刻」として、umidRefが「U2」として、CreationDate「対象Clip（U2）新規生成時刻」として、LastUpdateがブランク状態で、FormatがIMXとして、Titleがブランク状態で記録されたNRTが新たに生成されてクリップに付された状態でディスク記録媒体２４に記録される。尚、図３３においては、新規に生成されるか、または、更新された部分については、黒地に白文字で示されている。
【０１８８】
一方、ステップＳ２５３において、編集装置４のNRT編集部１２２は、例えば、図３３で示されるように、lastUpdateが「本NRT生成時刻」として、umidRefが「U2」として、CreationDateが「対象Clip新規生成時刻」として、LastUpdateがブランク状態で、FormatがIMXとして、Titleが「My Title」としたNRTを生成する。尚、ここで、CreationDateの「対象Clip新規生成時刻」は、ステップＳ２５１の処理でクリップが読み出された時刻の情報となる。
【０１８９】
ステップＳ２５４において、通信部１１１は、生成されたNRTをディスク装置１に送信する。
【０１９０】
そして、ステップＳ２６７乃至Ｓ２７０の処理により、編集装置４より送信されてきたNRTが変更されることなく、そのままクリップに付されて記録される。
【０１９１】
以上の処理により、例えば、編集装置４は、自らが編集したクリップを、そのままのUMIDとNRTを付した状態でディスク装置１のディスク記録媒体２４に記録することが可能となり、例えば、複数の編集装置４を利用して同一のクリップを編集することが可能となる。
【０１９２】
次に、図３４のフローチャートを参照して、ディスク装置１に記録されているクリップを編集装置５で編集し、再び、NRTを含むクリップを標準FTP転送によりディスク装置１に送信し、インポートする（記録させる）処理について説明する。尚、図３４のフローチャートにおけるステップＳ３０３乃至３１３の処理、および、ステップＳ３２５乃至Ｓ３２８の処理は、図３０のフローチャートを参照して説明したステップＳ２３１乃至Ｓ２４１の処理、および、ステップＳ２２３乃至Ｓ２２６の処理と同様であるので、その説明は省略する。ただし、ステップＳ３２５乃至Ｓ３２８の処理は、エディットリスト編集部１０５ではなく、メタデータ編集部１３５が処理を実行している。
【０１９３】
ステップＳ３０１において、通信部２０は、記憶部１９に記憶されているNRTを含むクリップを読み出し、ステップＳ３０２において、ネットワーク６を介して編集装置５に送信する。すなわち、例えば、図３５で示されるように、UMIDとして「U1」が付され、lastUpdateが「本NRT生成時刻」として、umidRefが「U1」として、CreationDateが「対象Clip（U1）新規生成時刻」として、LastUpdateがブランク状態で、Formatが「IMX」として、Titleがブランク状態で記録されたNRTを含むクリップが編集装置５に送信される。
【０１９４】
ステップＳ３２１において、通信部１４１は、送信されてきたクリップとNRTを受信し、取得する。ステップＳ３２２において、クリップデータ編集部１３４は、入力部１３８が操作されてクリップが編集されたか否かを判定する。例えば、ユーザにより入力部１３８が操作されて、クリップが編集された場合、その処理は、ステップＳ３２３に進む。
【０１９５】
ステップＳ３２３において、クリップデータ編集部１３４は、編集されたクリップの情報に基づいて、クリップを更新する。
【０１９６】
ステップＳ３２４において、通信部１４１は、編集されたクリップをディスク装置１に送信する。尚、メタデータ編集部１３５は、UMIDを生成することができないので、図３５で示されるように、編集されたクリップには、UMIDが付加されていない状態で送信される。
【０１９７】
以降の処理は、図３０のフローチャートにおけるステップＳ２３１乃至Ｓ２４１、および、ステップＳ２２３乃至Ｓ２２６の処理と同様である。すなわち、ステップＳ３０３乃至Ｓ３０９の処理において、エディットリスト編集部４５は、例えば、図３５で示されるように、編集装置５より送信されてきたクリップに「U3」で示されるUMIDを付して、さらに、lastUpdateが「xxx」として、umidRefが「U3」として、CreationDate「yyy」として、LastUpdateが「zzz」として、Formatが「aaa」として、Titleがブランク状態で記録されたNRTが新たに生成されてクリップに付された状態で編集装置５に送信される。
【０１９８】
ステップＳ３２５乃至Ｓ３２８において、メタデータ編集部１３５は、送信されてきたNRTに基づいて、ステップＳ３２１の処理で取得されたNRTを更新し、再び、ディスク装置１に送信する。すなわち、NRTは、更新されることにより、lastUpdateが「本NRT生成時刻」として、umidRefが「U3」として、CreationDate「対象Clip（U1）新規生成時刻」として、LastUpdateが対象Clip（U3）更新時刻」として、Formatが「IMX」として、Titleが「My Title」として記録されたNRTに更新されてディスク装置１に送信される。尚、図３５において、更新された項目は、黒地に白文字で示されている。
【０１９９】
そして、ステップＳ３１０乃至Ｓ３１３の処理により、ディスク装置１は、図３５で示されるように、編集装置５より送信されてきたクリップに、送信されてきたNRTをそのまま対応付けてディスク記録媒体２４に記録する。
【０２００】
以上の処理により、UMIDを生成することができず、または、認識することができない編集装置５が、クリップを編集して、ディスク装置１にインポートしても、あたかも編集装置５においてUMIDが生成され、さらに、対応してNRTが生成されたようにディスク装置１に記録させることが可能となる。
【０２０１】
次に、図３６のフローチャートを参照して、ディスク装置１に記録されているクリップを編集装置４で編集し、再び、NRTを含むクリップを拡張FTP転送によりディスク装置１に送信し、インポートさせる（記録させる）処理について説明する。尚、図３６のフローチャートにおけるステップＳ３４３乃至３５２の処理は、図３２のフローチャートを参照して説明したステップＳ２６１乃至Ｓ２７０の処理と同様であるので、その説明は省略する。
【０２０２】
例えば、ステップＳ３４１，Ｓ３４２の処理により、図３７のディスク装置１の上部で示されるように、UMIDが「U1」で示され、lastUpdateが「本NRT生成時刻」として、umidRefが「U1」として、CreationDateが「対象Clip（U1）新規生成時刻」として、LastUpdateがブランク状態で、Formatが「IMX」として、Titleがブランク状態で記録されたNRTを含むクリップが編集装置４に送信されてくると、ステップＳ３６１において、通信部１１１が取得し、ステップＳ３６２において、クリップデータ編集部１０４は、入力部１０８が操作されてクリップが編集されたか否かを判定する。例えば、ユーザにより入力部１０８が操作されて、クリップが編集された場合、その処理は、ステップＳ３６３に進む。
【０２０３】
ステップＳ３６３において、UMID編集部１２１は、変更モードのUMID生成処理を実行する。すなわち、ディスク装置１からクリップが送信されるとき、標準FTP転送されることになる。尚、変更モードのUMID生成処理は、図１４のフローチャートを参照して説明したので、その説明は省略する。
【０２０４】
ステップＳ３６３において、クリップデータ編集部１０４は、編集されたクリップの内容に応じて、クリップを更新する。
【０２０５】
ステップＳ３６４において、エディットリスト生成部１０５は、生成したUMIDを更新したクリップに付する。そして、ステップＳ３６５において、通信部１１１は、例えば、図３７で示されるように、更新されたUMIDとして「U2」が付されたクリップをディスク装置１に送信する。
【０２０６】
これ以降の処理は、図３２のステップＳ２６１乃至Ｓ２６６の処理と同様であり、ディスク装置１では、エディットリスト編集部１４が、例えば、図３７で示されるように、編集装置４より送信されてきたクリップに保存モードのUMID生成処理により生成された「U2」で示されるUMIDを付して、さらに、lastUpdateが「xxx」として、umidRefが「U3」として、CreationDate「yyy」として、LastUpdateが「zzz」として、Formatが「aaa」として、Titleがブランク状態で記録されたNRTが新たに生成されてクリップに付された状態で記憶部８２に記憶される。
【０２０７】
一方、ステップＳ３６６において、編集装置４のNRT編集部１２２は、入力部１０８が操作されてNRTが編集されたか否かを判定し、編集されるまでその処理を繰り返す。例えば、NRTが編集されたと判定されると、ステップＳ３６７において、NRT編集部１２２は、ステップＳ３４２の処理で送信されてきたNRTを、編集されたNRTに対応して、例えば、図３７で示されるように、更新する。すなわち、図３７において、編集装置４のNRTは、更新されることにより、lastUpdateが「本NRT生成時刻」として、umidRefが「U2」として、CreationDate「対象Clip（U1）新規生成時刻」として、LastUpdateが対象Clip（U2）更新時刻」として、Formatが「IMX」として、Titleが「My Title」として記録されたNRTに更新される。ステップＳ３６８において、通信部１１１は、更新したNRTをディスク装置１に送信する。尚、図３７において、更新されたNRTの項目は、黒地に白文字で示されている。
【０２０８】
そして、ステップＳ３４９乃至Ｓ３５２の処理により、ディスク装置１は、図３７で示されるように、編集装置４より送信されてきたクリップに、送信されてきたNRTをそのまま対応付けてディスク記録媒体２４に記録する。
【０２０９】
以上の処理により、ディスク装置１に記録されていたクリップを読み出して編集装置４で編集しても、拡張FTP転送によりUMIDを変更させることなく、NRTを変更させて、ディスク装置１に記録させることが可能となる。
【０２１０】
以上においては、FTP転送におけるMXF転送処理を前提とした説明をしてきたが、転送形式は、これに限らず、その他の転送形式であってもよく、例えば、SDI転送であってもよいことは言うまでもない。
【０２１１】
ただし、SDI転送においては、UMIDの生成方法が、単一クリップである場合と複数クリップの場合とで変化する。
【０２１２】
ここで、図３８のフローチャートを参照して、SDI転送におけるUMID生成処理について説明する。
【０２１３】
ステップＳ４０１において、エディットリスト編集部１４は、SDI転送におけるクリップが単一クリップであるか否かを判定し、例えば、単一クリップであると判定された場合、その処理は、ステップＳ４０２に進む。
【０２１４】
ステップＳ４０２において、クリップUMID生成部５１ａは、クリップに対するMpUmidを新規に生成する。例えば、クリップに対するMpUmidが、図３９で示されるように、” 060A2B340101010501010D43130000006C291C00722405C2080046020117F001”として生成されるものとする。尚、図３９においては、図中の最上段には、「UMID of Input signal」と示され、送信されてきたクリップの補助UMID（Ancillary UMID）が示されている。今の場合、送信されてきたクリップに付されているUMIDは” 060A2B340101010501010D431302FEDC2405C2080046020117F0016C291C0072”と表示されている。
【０２１５】
ステップＳ４０３において、クリップUMID生成部３１ａは、送信されてきたクリップに付されていた補助Umidにおけるインスタンス番号を（03＋乱数）に変更して、新たなクリップのFpUmidを生成する。すなわち、図３９で示されるように、クリップUMID生成部３１ａは、供給されたクリップに付されていたMpUmidにおけるインスタンス番号である「02FEDC」を「03ABCD」に変更することにより、新たなクリップのFpUmidを生成する。図３９においては、黒地に白文字で示された部分である。尚、インスタンス番号における「ABCD」は、乱数により発生された値を示している。
【０２１６】
ステップＳ４０４において、ピクチャUMID生成部３１ｃは、クリップのMpUmidおよびFpUmidのMaterialTypeを変更して、画像データのMpUmidおよびFpUmidを生成すると共に、オーディオUMID生成部３１ｄは、図３９で示されるように、クリップのMpUmidおよびFpUmidのMaterialTypeを変更して、第１チャンネルの音声データのMpUmidおよびFpUmidを生成する。
【０２１７】
ステップＳ４０５において、オーディオUMID生成部３１ｄは、図３９で示されるように、第１チャンネルの音声データのMpUmidのTimeSnapの先頭バイトを、それぞれ順次２ずつインクリメントして、第２乃至第４チャンネルの音声データのMpUmidを生成すると共に、第１チャンネルの音声データのFpUmidのインスタンス番号の最終バイトを、それぞれ順次１ずつインクリメントして、第２乃至第４チャンネルの音声データのFpUmidを生成する。
【０２１８】
すなわち、図３９で示されるように、第１チャンネルの音声データにおけるMpUmidのTimeSnapの先頭バイトの値は「6C」である。オーディオUMID生成部３１ｄは、この値を２インクリメントすることにより、それぞれ「6E」にして、第２チャンネルの音声データにおけるMpUmidを生成する。
【０２１９】
同様にして、第２チャンネルの音声データにおけるMpUmidのTimeSnapの先頭バイトの値は、それぞれ「6E」となるので、オーディオUMID生成部３１ｄは、この値を、さらに、２インクリメントすることにより、「70」にして、第３チャンネルの音声データにおけるMpUmidを生成する。
【０２２０】
さらに、第３チャンネルの音声データにおけるMpUmidのTimeSnapの先頭バイトの値は、「70」であるので、オーディオUMID生成部３１ｄは、この値を、さらに、２インクリメントすることにより、「72」にして、第４チャンネルの音声データにおけるMpUmidを生成する。
【０２２１】
また、第１チャンネルの音声データにおけるFpUmidのインスタンス番号の値は、「03ABCD」である。オーディオUMID生成部３１ｄは、この値を１インクリメントすることにより、「03ABCE」にして、第２チャンネルの音声データにおけるFpUmidを生成する。
【０２２２】
同様にして、第２チャンネルの音声データにおけるFpUmidのインスタンス番号の値は、「03ABCE」となるので、オーディオUMID生成部３１ｄは、この値を、さらに、１インクリメントすることにより、それぞれ「03ABCF」にして、第３チャンネルの音声データにおけるFpUmidを生成する。
【０２２３】
さらに、第３チャンネルの音声データにおけるFpUmidのインスタンス番号の値は、それぞれ「03ABCF」であるので、オーディオUMID生成部３１ｄは、この値を、さらに、１インクリメントすることにより、「03ABD0」にして、第４チャンネルの音声データにおけるFpUmidを生成する。
【０２２４】
ステップＳ４０６において、プロキシUMID生成部３１ｅは、クリップのMpUmidのインスタンス番号の先頭バイトを「00」から、プロキシデータであることを示す「FF」に変更し、クリップのFpUmidのインスタンス番号の最終バイトを１インクリメントしてプロキシデータのMpUmidとFpUmidを生成する。すなわち、図３９の場合、プロキシデータのMpUmidのインスタンスは、「FF0000」となり、FpUmidのインスタンスは、クリップのインスタンス番号の「03ABCD」に１インクリメントした「03ABCE」となる。
【０２２５】
ステップＳ４０７において、RTM-UMID生成部３１ｂは、RTMが継承モードであるか否かを判定する。RTM-UMIDの生成は、継承モードと新規モードがあり、いずれも設定することができる。継承モードは、補助UMIDを利用してインスタンス番号のみを変更させることにより、補助UMIDの一部を継承して使用するモードである。また、新規モードは、新規に生成されたクリップのMpUmidをそのまま使用するモードである。
【０２２６】
例えば、ステップＳ４０７において、継承モードであると判定された場合、ステップＳ４０８において、RTM-UMID生成部３１ｂは、送信されてきたクリップの補助Umidのインスタンス番号を（03＋乱数）に変更して、RTMのBodyUmidとして生成する。すなわち、クリップのFpUmidを生成する処理と同様の処理により、図３９で示されるように、RTMのBodyUmidは、クリップのFpUmidと同じ値として生成される。
【０２２７】
一方、ステップＳ４０１において、単一クリップではない、すなわち、複数クリップであると判定された場合、ステップＳ４１０において、クリップUMID生成部３１ａは、クリップに対するMpUmidを新規に生成する。例えば、クリップに対するMpUmidが、図４０で示されるように、” 060A2B340101010501010D43130000006C291C00722405C2080046020117F001”として生成されるものとする。尚、図４０においては、図中の最上段には、「UMID of Input signal」と示され、送信されてきたクリップのMpUmidのUMIDを示しているが、送信されてきたクリップは複数であるので定義されていない。
【０２２８】
ステップＳ４１１において、クリップUMID生成部３１ａは、生成されたMpUmidのTimeSnapの先頭バイトを１インクリメントしてFpUmidとする。すなわち、図４０で示されるように、クリップのFpUmidは、新規に生成されたクリップのMpUmidと同じ値として生成される。
【０２２９】
ステップＳ４１２において、ピクチャUMID生成部３１ｃは、図４０で示されるように、クリップのMpUmidおよびFpUmidのMaterialTypeを「0D」から「06」に変更して、画像データのMpUmidおよびFpUmidを生成すると共に、オーディオUMID生成部３１ｄは、クリップのMpUmidおよびFpUmidのMaterialTypeを「0D」から「08」に変更して、第１チャンネルの音声データのMpUmidおよびFpUmidを生成する。
【０２３０】
ステップＳ４１３において、オーディオUMID生成部３１ｄは、第１チャンネルの音声データのMpUmid、および、FpUmidのTimeSnapの先頭バイトを、図４０で示されるように、それぞれ順次２ずつインクリメントして、第２乃至第４チャンネルの音声データのMpUmidおよびFpUmidを生成する。
【０２３１】
ステップＳ４１４において、プロキシUMID生成部３１ｅは、図４０で示されるように、クリップのMpUmidとFpUmidの、それぞれのインスタンス番号の先頭バイトを「00」から、プロキシデータであることを示す「FF」に変更することでプロキシデータのMpUmidとFpUmidを生成する。
【０２３２】
また、ステップＳ４０７において、継承モードではない、すなわち、新規モードであると判定された場合、ステップＳ４０９において、RTM-UMID生成部３１ｂは、生成したクリップのMpUmidをRTMのBodyUmidとして生成する。すなわち、図４０で示されるように、RTMのBodyUmidは、生成されたクリップのMpUmidと同じ値として生成される。
【０２３３】
尚、以上においては、音声チャンネルが４チャンネル存在する場合について説明してきたが、それ以外の数のチャンネル数であってもよいことは言うまでもない。
【０２３４】
以上のような処理により、SDI転送においても、実質的に、クリップのMpUmidのみを生成するだけで、その他のUMIDを連鎖的に生成することができ、高速にUMIDを生成することが可能となっている。また、インクリメントする値は、上述した１または２に限るものではなく、それ以外の数だけインクリメントするようにしてもよい。
【０２３５】
以上によれば、１つのUMIDを生成した後、その生成したUMIDのMaterialType、TimeSnap、またはインスタンスを変更させるのみで、新たなUMIDを複数に連鎖的に生成することにより、大量のUMIDを高速で生成することが可能になる。
【０２３６】
また、UMIDを生成することができない、または、UMIDを認識することができない編集装置５などの装置であっても、ディスク装置１がUMIDを生成し、NRTを対応付けて管理することで、UMIDを生成することができない、または、UMIDを認識することができない装置が、あたかもUMIDを生成して、クリップを管理しているかのように、UMIDが付されたNRT付きのクリップをディスク装置１に記録させることが可能となる。
【０２３７】
上述した一連の処理は、ハードウェアにより実行させることもできるし、上述したようにソフトウェアにより実行させることもできる。一連の処理をソフトウェアにより実行させる場合には、そのソフトウェアを構成するプログラムが専用のハードウェアに組み込まれているコンピュータ、または、各種のプログラムをインストールすることで、各種の機能を実行することが可能な、例えば汎用のパーソナルコンピュータなどに、記録媒体等からインストールされる。
【０２３８】
記録媒体は、図２に示されるように、ディスク装置１とは別に、ユーザにプログラムを提供するために配布される、プログラムが記録されている磁気ディスク（フレキシブルディスクを含む）、光ディスク（CD-ROM（Compact Disc-Read Only Memory），DVD（Digital Versatile Disc）、光磁気ディスクを含む）、若しくは半導体メモリなどよりなるパッケージメディアを含むリムーバブルメディア２３により構成されるだけでなく、コンピュータに予め組み込まれた状態でユーザに提供される、プログラムが記憶されているROM１２や記憶部１９が含まれるハードディスクなどで構成される。
【０２３９】
なお、本明細書において、媒体により提供されるプログラムを記述するステップは、記載された順序に従って、時系列的に行われる処理は勿論、必ずしも時系列的に処理されなくとも、並列的あるいは個別に実行される処理をも含むものである。
【０２４０】
また、本明細書において、システムとは、複数の装置により構成される装置全体を表すものである。
【図面の簡単な説明】
【０２４１】
【図１】本発明を適用した映像プログラム制作支援システムの一実施の形態の構成を示した図である。
【図２】図１のディスク装置の構成を示すブロック図である。
【図３】図１の撮像装置の構成を示すブロック図である。
【図４】図１の撮像装置の構成を示すブロック図である。
【図５】図１の編集装置の構成を示すブロック図である。
【図６】図１の編集装置の構成を示すブロック図である。
【図７】UMIDの構成を説明する図である。
【図８】図７のMaterialNumberの構成を説明する図である。
【図９】図３の撮像装置による撮像処理を説明するフローチャートである。
【図１０】UMID新規生成処理を説明するフローチャートである。
【図１１】UMID新規生成処理を説明する図である。
【図１２】変更モードにおけるディスク装置と図３の撮像装置によるNRTなしのクリップのFTPインポート処理を説明するフローチャートである。
【図１３】変更モードにおけるディスク装置と図３の撮像装置によるNRTなしのクリップのFTPインポート処理を説明する図である。
【図１４】変更モードのUMID生成処理を説明するフローチャートである。
【図１５】変更モードのUMID生成処理を説明する図である。
【図１６】保存モードにおけるディスク装置と図３の撮像装置によるNRTなしのクリップのFTPインポート処理を説明するフローチャートである。
【図１７】保存モードのUMID生成処理を説明するフローチャートである。
【図１８】保存モードのUMID生成処理を説明する図である。
【図１９】保存モードにおけるディスク装置と図３の撮像装置によるNRTなしのクリップのFTPインポート処理を説明する図である。
【図２０】変更モードにおけるディスク装置と図３の撮像装置によるNRTを含むクリップのFTPインポート処理を説明するフローチャートである。
【図２１】変更モードにおけるディスク装置と図３の撮像装置によるNRTなしのクリップのFTPインポート処理を説明する図である。
【図２２】保存モードにおけるディスク装置と図３の撮像装置によるNRTを含むクリップのFTPインポート処理を説明するフローチャートである。
【図２３】保存モードにおけるディスク装置と図３の撮像装置によるNRTを含むクリップの上書き処理を説明する図である。
【図２４】変更モードにおけるディスク装置と図３の撮像装置によるNRTなしのクリップの上書き処理を説明するフローチャートである。
【図２５】変更モードにおけるディスク装置と図３の撮像装置によるNRTなしのクリップの上書き処理を説明する図である。
【図２６】変更モードにおけるディスク装置と図３の撮像装置によるNRTなしのクリップの上書き処理のその他の処理を説明するフローチャートである。
【図２７】変更モードにおけるディスク装置と図３の撮像装置によるNRTなしのクリップの上書き処理のその他の処理を説明する図である。
【図２８】ディスク装置と図５の編集装置によるNRTの上書き処理を説明するフローチャートである。
【図２９】ディスク装置と図５の編集装置によるNRTの上書き処理を説明する図である。
【図３０】標準FTP転送におけるディスク装置と図６の編集装置によるNRTを含むクリップのインポート処理を説明するフローチャートである。
【図３１】標準FTP転送におけるディスク装置と図６の編集装置によるNRTを含むクリップのインポート処理を説明する図である。
【図３２】拡張FTP転送におけるディスク装置と図５の編集装置によるNRTを含むクリップのインポート処理を説明するフローチャートである。
【図３３】拡張FTP転送におけるディスク装置と図５の編集装置によるNRTを含むクリップのインポート処理を説明する図である。
【図３４】標準FTP転送におけるディスク装置と図６の編集装置によるNRTを含むクリップの編集処理を説明するフローチャートである。
【図３５】標準FTP転送におけるディスク装置と図６の編集装置によるNRTを含むクリップの編集処理を説明する図である。
【図３６】拡張FTP転送におけるディスク装置と図５の編集装置によるNRTを含むクリップの編集処理を説明するフローチャートである。
【図３７】拡張FTP転送におけるディスク装置と図５の編集装置によるNRTを含むクリップの編集処理を説明する図である。
【図３８】SDI転送におけるUMID生成処理を説明するフローチャートである。
【図３９】SDI転送におけるUMID生成処理を説明する図である。
【図４０】SDI転送におけるUMID生成処理を説明する図である。
【符号の説明】
【０２４２】
１  ディスク装置，  ２，３  撮像装置，  ４，５  編集装置，  １４  エディットリスト編集部，  ２４  記録媒体，  ３１  UMID生成部，  ３１ａ  クリップUMID生成部，  ３１ｂ  RTM-UMID生成部，  ３１ｃ  ピクチャUMID生成部，  ３１ｄ  オーディオUMID生成部，  ３１ｅ  プロキシUMID生成部，  ３２  NRT生成部，  ４４  クリップデータ編集部，  ４５  UMID生成部，  ６１ａ  クリップUMID生成部，  ６１ｂ  RTM-UMID生成部，  ６１ｃ  ピクチャUMID生成部，  ６１ｄ  オーディオUMID生成部，  ６１ｅ  プロキシUMID生成部，  ６２  NRT生成部，  ７４  クリップデータ編集部，  ７５  メタデータ編集部，  １０４  クリップデータ編集部，  １０５  エディットリスト編集部，  １２１  UMID生成部，  １２１ａ  クリップUMID生成部，  １２１ｂ  RTM-UMID生成部，  １２１ｃ  ピクチャUMID生成部，  １２１ｄ  オーディオUMID生成部，  １２１ｅ  プロキシUMID生成部，  １２２  NRT生成部，  １３４  クリップデータ編集部，  １３５  メタデータ編集部
【図１】
2005243066.tif 000003
【図２】
2005243066.tif 000004
【図３】
2005243066.tif 000005
【図４】
2005243066.tif 000006
【図５】
2005243066.tif 000007
【図６】
2005243066.tif 000008
【図７】
2005243066.tif 000009
【図８】
2005243066.tif 000010
【図９】
2005243066.tif 000011
【図１０】
2005243066.tif 000012
【図１１】
2005243066.tif 000013
【図１２】
2005243066.tif 000014
【図１３】
2005243066.tif 000015
【図１４】
2005243066.tif 000016
【図１５】
2005243066.tif 000017
【図１６】
2005243066.tif 000018
【図１７】
2005243066.tif 000019
【図１８】
2005243066.tif 000020
【図１９】
2005243066.tif 000021
【図２０】
2005243066.tif 000022
【図２１】
2005243066.tif 000023
【図２２】
2005243066.tif 000024
【図２３】
2005243066.tif 000025
【図２４】
2005243066.tif 000026
【図２５】
2005243066.tif 000027
【図２６】
2005243066.tif 000028
【図２７】
2005243066.tif 000029
【図２８】
2005243066.tif 000030
【図２９】
2005243066.tif 000031
【図３０】
2005243066.tif 000032
【図３１】
2005243066.tif 000033
【図３２】
2005243066.tif 000034
【図３３】
2005243066.tif 000035
【図３４】
2005243066.tif 000036
【図３５】
2005243066.tif 000037
【図３６】
2005243066.tif 000038
【図３７】
2005243066.tif 000039
【図３８】
2005243066.tif 000040
【図３９】
2005243066.tif 000041
【図４０】
2005243066.tif 000042